(57)【要約】【課題】床上のほこり、髪の毛、固形ゴミ、しみ汚れ、付着液体等の異物の清掃除去、床の保護、つや出し等の床材管理に用いられる。【解決手段】不織布シートまたは織布シートからなる長方形状の基準シート２と、基準シート２の対向する長辺に対して直角な仮想基準線を表裏に描き、描かれた仮想基準線に対して基準シート２の表裏に不織布繊維の集合によって−４５度と＋４５度の傾斜角度で交差しないように形成した線条Ｌａ，Ｌｂ，Ｌｃ，Ｌｄと、前記−４５度の同一太さ及び同一長さの線条及び前記＋４５度の同一太さ及び同一長さの線条Ｒａ，Ｒｂ，Ｒｃ，Ｒｄを、同一線条太さ及び同一線条長さ及び同一線条間隔、同一線条数で形成した複数の独立線条群Ｒ，Ｌとで構成される。【選択図】図２
2018071024.tif 000002
【特許請求の範囲】
【請求項１】
不織布シートまたは織布シートからなる長方形状の基準シートと、
前記基準シートの対向する長辺に対して直角な仮想基準線を描き、該描かれた前記仮想基準線に対して前記基準シート面に不織布繊維の集合によって−４５度と＋４５度の傾斜角度で、かつ、前記基準シートよりも密度が密で、質量の大なる交差しない直線を形成した線条と、
前記−４５度及び前記＋４５度の線条は、同一線条太さ及び同一線条長さ及び同一線条間隔、同一線条数で形成した複数の独立線条群を具備し、
前記独立線条群にある隣接する前記線条の最下端を結ぶ仮想直線は、前記独立線条群から最短距離にある隣接する前記線条の最上端を結ぶ仮想直線が重なり合う重複幅に形成したことを特徴とする機能シート。
【請求項２】
前記複数の独立線条群は、前記基準シートを透過させたとき、表裏の線条群が同一位置に重なることを特徴とする請求項１に記載の機能シート。
【請求項３】
前記クリーニングシートは、更に、清掃具の清掃部本体面の長辺に前記基準シートの長辺を、前記清掃具の清掃部本体面の短辺に前記基準シートの短辺を対応付けて取付けたことを特徴とする請求項１または請求項２に記載の機能シート。
【発明の詳細な説明】
【技術分野】
【０００１】
本発明は、清掃部と前記清掃部に連結された棒状の把手を具備する掃除具の前記清掃部に装着された床材等をクリーニングするクリーニングシート等の機能シートに関するものである。床の保護、つや出し等の床の清掃や、手入れに用いられる床材に対するワックス掛けをする場合の機能シートとして使用する場合もある。また、この機能シートは、クリーニングシートに限らず、ウエットティッシュ、お手拭き、体拭き、化粧落とし等としても使用できる。
【背景技術】
【０００２】
従来のモップ状の掃除具として、例えば、床上のほこり、髪の毛、固形ゴミ、しみ汚れ、付着液体等の異物の除去を行う清掃や、床の保護、つや出し等の床の手入れに用いられるクリーニングシートが機能シートとして周知である。
例えば、特許文献１に記載されているように、洗浄剤を含浸させて手で直接拭くタイプのクリーニングシートが知られている。しかし、これをモップ状の掃除具に装着して清掃する場合、床のシミ汚れと清掃性と、片手で軽く拭ける操作性とを両立させることは困難である。
特許文献２には、洗浄剤を含浸させて手で拭くクリーニングシートが記載されている。このクリーニングシートは、モップ状の掃除具に装着すると、長繊維が床の突起等に引っかかってシートが破れることがある。また、モップ状の掃除具に装着して使用すると、拭き始めに洗浄剤が出過ぎて広い面積を清掃したくても持続性がない。
そこで、使い捨てのクリーニングシートでは、特許文献３、特許文献４、特許文献５に記載のように、クリーニングシートまたは床に洗浄剤や水等を供給しながら清掃を行う方法が一般的である。
【０００３】
このような清掃方法は、クリーニングシートを装備した掃除具以外に、洗浄剤を手に持ち、清掃途中でシートを掃除具から外して水に濡らすなど、非常に手間の掛かるものである。また、水に濡らした後のしぼり加減が弱い場合には、清掃初期に水が床に出過ぎて逆に汚れを塗り広げることがある。また、乾式清掃用のモップのように柄の強度が弱いと、その操作性が悪くなることもある。更に、一部の木質系の床に対してはクラック等の亀裂損傷を与えることもある。その上、前記公報においては表面にスパンレース不織布を有するクリーニングシートが用いられているものの、クリーニングシートは含水状態での髪の毛や綿ボコリの異物の絡み取り性が充分でなかった。
【先行技術文献】
【特許文献】
【０００４】
【特許文献１】実開平４−８９２５１号公報
【特許文献２】特表平１１−５０８２５６号公報
【特許文献３】特開平１０−２６２８８３号公報
【特許文献４】特開平１０−２８６２０６号公報
【特許文献５】特開平９−１３１２８８号公報
【特許文献６】特表２００５−５０７２７１号公報
【特許文献７】特表２００５−４２２９０号公報
【発明の概要】
【発明が解決しようとする課題】
【０００５】
特に、特許文献１はクリーニングシートを開示しているものの、表面に形成された格子模様には基材に物質を格納するという技術思想は存在していない。また、特許文献２には支持体の粘り強さを持たせたものであるが、擦り動作の結果、支持体の表面から毛髪等の突出する技術を開示しており、特許文献１と同様、物質を格納するという技術思想は存在していない。
特許文献３には、滑り性がよく、吸水性及び保水性にも優れ、乾拭き及び水拭きの両方に使用できる構成が開示されている。この接合線の部分では３層のシートが加圧されて没状となっているため、接合線と非接合線との境界部でシートに盛り上がりが形成され、この盛り上がりの部分で汚れの掻き取り効果を発揮するとの記載（段落［0034］）があるものの、クリーニングシートに物質を格納するという考え方は存在していない。
更に、特許文献４のエンボス処理されたクリーニングシートは、複数の凸部を有しており、各凸部は線条の凹部により区切られている。そして、本形態においては、該凹部により菱形の網目状の連続したパターンが形成されるようになされているから、ここには、クリーニングシートに物質を格納するという考え方は存在していない。
【０００６】
特許文献５は、液透過性のクリーニングシートからなる拭取部と、前記拭取部で拭取った液を吸収する液吸収体とを具備し、前記クリーニングシートは、多数の凸部を有し、清掃時において被清掃面に接触する前記凸部の面積がクリーニングシート全体の面積に対して５〜６０％とした技術である。しかし、発明者らの実験により、清掃時において被清掃面に接触する前記凸部の面積がクリーニングシート全体面積に対して５〜６０％から得られる特徴よりも、床上のほこり、髪の毛、固形ゴミ、しみ汚れ、付着液体等の除去や、床の保護、つや出し等の手入れに用いられるクリーニングシートは、床上のほこり、髪の毛、固形ゴミ、しみ汚れ、付着液体等との衝突及びその後の流れに機能が左右されることが判明した。
【０００７】
更に、特許文献６では、家庭内または職場内で見られる合成樹脂シートの表面上に、成分及び配合のような物質と組み合わせて使用される拭き取り基材を配設し、その基材に物質を格納するという概念を用いている。特許文献６に掲載の剪断力感応性マイクロポケットは、基材表面内の微細な規模の３次元区画であり、前記基材が前記標的表面に接触している時に前記基材の表面に沿って剪断力が加わると、前記剪断力が前記マイクロポケットの壁面を実質的に変形し、前記物質を前記標的表面に放出させるものである。しかし、基材が複数のマイクロポケットを有していても、特許文献６に掲載の図１９乃至図２７の記載例のように、清掃具の清掃部を手前から奥に往復道させたとき、左右に往復動作させたとき、特定方向に移動させると、床上のほこり、髪の毛、固形ゴミ、しみ汚れ、付着液体等を案内し、清掃具の清掃部の一辺から他の対向辺に直接移動して、異物の確保効率が上がらない。
【０００８】
加えて、特許文献７では、２つのカードウェブ層の間にパルプ繊維層を位置させ、これを目の粗い平織り構造の支持体に載置して高圧水流を噴射し、繊維同士を絡合させるとともに、複数の低集積領域と、厚さが低集積領域の厚さよりも大きい複数の高集積領域とを形成して、キッチン用タオルを得るキッチン用タオルを開示している。
しかし、低集積領域と高集積領域と区別されているものの、現実に低集積領域と高集積領域の最高・最低のピーク値、その境界が明確に分かれているものでないから、如何になるかが明示されるものでなく不明である。また、特に、最高のピーク値、最低のピーク値が特許文献７に掲載する図１の上下に連結されているが、床上のほこり、髪の毛、固形ゴミ、しみ汚れ、付着液体等の異物の上にキッチン用タオルが載っても、異物として確保することができない。
【０００９】
そこで、本発明は、かかる従来の問題点を解消し、床上のほこり、髪の毛、固形ゴミ、しみ汚れ、付着液体等の異物の除去、床の保護、つや出し等の床管理に用いられ、効率の良い異物の確保を行うクリーニングシート及びウエットティッシュ、お手拭き、体拭き、化粧落とし等としても使用できる機能シートの提供を課題とするものである。
【課題を解決するための手段】
【００１０】
請求項１の発明にかかる機能シートは、不織布シートまたは織布シートからなる長方形状の基準シートの対向する２辺に対して直角な仮想基準線を描き、描かれた前記仮想基準線に対して、前記基準シート面に不織布繊維の集合によって−４５度と＋４５度の傾斜で、同一線条太さ、同一線条長さ、同一線条間隔、同一線条数で形成した複数の独立線条群を形成したものである。因みに、本発明の全体は概略四崩し縞（四崩し）を４５度傾かせた全体概念的形状に似ている。
しかも、隣接する前記独立線条群にある前記線条の最下端を結ぶ仮想直線は、隣接する前記独立線条群から最短距離にある前記線条の最上端を結ぶ仮想直線が重なり合う重複位置に形成したものであるから、線条間隔を移動する異物は、前記独立線条群の線条に衝突または案内されるから、清掃部の下部面、即ち、清掃部本体面をストレートに通過することがない。
【００１１】
ここで、上記基準シートは、不織布シートまたは織布シートからなる長方形状のシート（人工的な紙）である。この基準シートは、網状であっても、無地であってもよい。若干のエンボス加工がなされている材料でもよい。
また、上記−４５度と＋４５度の傾斜角度で形成した同一太さ、同一長さの線条は、前記基準シートの対向する長辺に対して直角な仮想基準線を描き、該描かれた前記仮想基準線に対して、前記基準シート面に不織布繊維の集合によって形成したもので、長繊維の不織布繊維が短繊維の不織布繊維に高圧水流で繊維を絡み合わせる処理となるから、基準シートよりも線条の密度が密で、質量的にも大きくなっておればよい。
上記線条（独立線条群）の繊維の密度が密、質量が大とは、当該不織布シートまたは当該織布シートの繊維密度が高く形成でき、毛細管現象により、液体の吸収及び保持能力が大きくすることを意図するものである。
【００１２】
そして、上記複数の独立線条群は、前記基準シートの対抗する２辺（１辺でも可）に対して直角な仮想基準線を表面または裏面に描き、該描かれた前記仮想基準線に対して前記基準シート面に不織布繊維の集合によって−４５度の傾斜で、同一線条長さ、同一線条間隔で形成し、＋４５度の傾斜で、同一線条太さ、同一線条長さ、同一線条間隔で形成した線条群で互いに独立したものである。ここで、前記複数の独立線条群の前記−４５度及び前記＋４５度の線条は、同一線条太さ及び同一線条長さ及び同一線条間隔、同一線条数で形成したものである。これらは、当然、誤差が小さければ問題にならないが、１０〜３０％の誤差を有していても、実施できないものではなく、その実施は可能である。この本実施の形態では、見栄えの良さから特定しているに過ぎないので、誤差の介入を否定するものではない。
更に、隣接する前記独立線条群にある前記線条の最下端を結ぶ仮想直線は、隣接する前記独立線条群から最短距離にある前記線条の最上端を結ぶ仮想直線と重なり合う重複位置に形成したものである。ここで、前記独立線条群にある前記線条の最下端を結ぶ仮想直線と、前記独立線条群から最短距離にある前記線条の最上端を結ぶ仮想直線とが重なり合う重複位置とは、その重なりは最下端を結ぶ仮想直線と最上端を結ぶ仮想直線とが、重なり合う重複幅を有する仮想直線となってもよい。
【００１３】
請求項２の発明にかかる機能シートの前記複数の独立線条群は、前記基準シートを透過させたとき、線条群のシルエットラインが同一位置に重なるものである。
ここで、上記複数の独立線条群は、前記基準シートを透過させたとき、表裏の線条群が同一位置（表裏同一）となって重なるものであるから、前記基準シートは表裏の線条群によって浮き上がらせている。
【００１４】
請求項３の発明にかかる機能シートは、更に、清掃具の清掃部本体面の長辺に前記基準シートの長辺を、前記清掃具の清掃部本体面の短辺に前記基準シートの短辺を対応付けて取付けたものである。
ここで、上記清掃具の清掃部本体面は、その長辺に前記基準シートの長辺を、その短辺に前記基準シートの短辺を対応付けて取付けて清掃具としたものである。
【発明の効果】
【００１５】
請求項１の発明の機能シートは、不織布シートまたは織布シートからなる長方形状の基準シートの対向する長辺に対して直角な仮想基準線を描き、該描かれた前記仮想基準線に対して前記基準シート面に不織布繊維の集合によって−４５度と＋４５度の傾斜角度が交差しないように形成した線条と、前記−４５度の線条及び前記＋４５度の線条を、同一線条太さ及び同一線条長さ及び同一線条間隔及び同一線条数で形成した複数の独立線条群を形成したものである。
しかも、隣接する前記独立線条群にある前記線条の最下端を結ぶ仮想直線は、隣接する前記独立線条群から最短距離にある前記線条の最上端を結ぶ仮想直線が重なり合う重複位置に形成したから、仮に、線条間隔を移動する異物でも、前記独立線条群の線条に衝突し、反射した異物が次々と前記独立線条群にある前記線条に衝突するから、清掃部の下部面、即ち、清掃部本体面を衝突しないでストレートに通過するという清掃漏れがなくなるばかりか、前記独立線条群にある前記線条によって、床上のほこり、髪の毛、固形ゴミ、しみ汚れ、付着液体等の異物を潜り込ませ、繰り返し保持し、または床の保護、つや出し等の床管理を行うことができる。
【００１６】
したがって、−４５度と＋４５度の傾斜角度で交差しないように形成した線条は、清掃具の清掃部を手前から奥に繰り返し直線往復動させたり、清掃部を左右に振ったりすると、例えば、床上のほこり、髪の毛、固形ゴミ等の異物は、清掃具の清掃部を手前から奥に繰り返し往復させたときの、＋４５度と−４５度の傾斜角度の線条に対して４５度の衝突角度で衝突し、同様に４５度の反射によって隣接する＋４５度と−４５度の傾斜角度の線条に衝突する。このとき、＋４５度と−４５度の傾斜角度を有する線条の反発係数が小さいから、何れかの線条で確保され、この確保に線条の密度、線条の質量が関与する。
また、不織布シートまたは織布シートからなる長方形状の基準シートは、その厚み方向の床面より上に位置し、床上のほこり、髪の毛、固形ゴミの上にあっても、弾性によってそれらを保持し、４５度の反射によって隣接する＋４５度と−４５度の傾斜角度の線条に衝突し、不織布シートまたは織布シートからなる長方形状の基準シートから離れ難くなる。
【００１７】
そして、前記複数の独立線条群は、前記線条からなるものであり、清掃具の清掃部に加えた力が線条の各糸の弾性として現れるから、機能シートの単位面積当たりの押圧力を大きくすることができ、清掃または床の保護、管理に的確に対応することができる。そして、前記独立線条群の線条間隔には、その製造工程により密度の変化が生じるので、何れかの位置に異物を潜り込ませ、それを保持することができる。
更に、前記線条の延びる方向に隣接する独立線条群の両端部は、延長線を描けば９０度の角度で交差する隣接した前記独立線条群の前記線条があり、前記線条間隔の面を異物がストレートに通過することがないから、異物は何れかの位置で機能シートに潜り込み、絡み合っている。そして、清掃具の清掃部に上から下方向の力を加えた場合にも、上下方向の弾性力及び隙間間の弾性力によって異物は機能シートに絡み合うので、異物保持力が向上する。
加えて、前記独立線条群及び前記線条における前記不織布シートまたは前記織布シートは、繊維の密度が密であり、質量が大であるから、当該不織布シートまたは当該織布シートの繊維密度が高く形成できるから、毛細管現象により、液体の吸収及び保持能力が大きくなる。
したがって、床上のほこり、髪の毛、固形ゴミ、しみ汚れ、付着液体等の異物の除去、床の保護、つや出し等の床管理に用いられ、効率の良い異物の確保を行うクリーニングシートに使用でき、また、基準シートと独立線条群とが独自に移動し、ウエットティッシュ、お手拭き、体拭き、化粧落とし等としても機能するから機能シートの提供を課題とするものである。
【００１８】
請求項２の発明の機能シートにおいて、前記複数の独立線条群は、前記基準シートを透過させたとき、表裏の線条群が同一位置に重なるものであるから、請求項１に記載の効果に加えて、前記機能シートの複数の独立線条群に対して外力が加わっても、線条間隔の上面位置が線条の厚みの約１／２の位置にあり、しかも、その線条間隔に弾性を有することから、異物の格納エリアとして作用する。また、４５度の反射によって隣接する＋４５度と−４５度の傾斜角度の線条に衝突し、不織布シートまたは織布シートからなる長方形状の基準シートから離れ難くなる。
【００１９】
請求項３の発明の機能シートは、更に、清掃具の清掃部本体面の長辺に前記基準シートの長辺を、前記清掃具の清掃部本体面の短辺に前記基準シートの短辺を対応付けて取付けたものであるから、請求項１または請求項２に記載の効果に加えて、清掃具の清掃部本体面に前記基準シートの長辺を取付けるものであるから、清掃具の清掃部本体面への取付けが間違いなく行うことができる。
また、−４５度と＋４５度の傾斜角度で交差しないように形成した線条は、９０度回転させても、図形が同じであるから、前記基準シートの長辺、短辺は直接的には関係がないが、作業者が理解する前に取付けを行うように使いやすくしている。
【図面の簡単な説明】
【００２０】
【図１】図１は従来の清掃用具の要部斜視図である。
【図２】図２は本発明にかかる実施の形態１の機能シートの平面図である。
【図３】図３は本発明にかかる実施の形態１の機能シートの裏面図で、図１の平面図と対称に現れている。
【図４】図４は本発明にかかる実施の形態１の機能シートの部分拡大正面図である。
【図５】図５は本発明にかかる実施の形態１の機能シートの切断線Ａ−Ａによる要部拡大断面図である。
【図６】図６は本発明にかかる実施の形態１の機能シートの切断線Ｂ−Ｂによる要部拡大断面図である。
【図７】図７は本発明にかかる実施の形態１の機能シート製造装置の概略構成図である。
【図８】図８は本発明にかかる実施の形態２の機能シート製造装置の概略構成図である。
【図９】図９は本発明にかかる実施の形態３の機能シートの平面図である。
【図１０】図１０は本発明にかかる実施の形態４の機能シートの平面図である。
【発明を実施するための形態】
【００２１】
以下、本発明の実施の形態について、図面に基づいて説明する。なお、実施の形態において、図示の同一記号及び同一符号は、同一または相当する機能部分であるから、ここではその重複する説明を省略する。
【００２２】
［実施の形態１］
まず、本発明の実施の形態１の機能シートがクリーニングシート１の場合について図を用いて説明する。
従来からの清掃用具１０は、図１に示すように、床面に並行する長方形状の清掃部１１と、その清掃部１１に回動自在に連結された２軸接続部１２と、その２軸接続部１２に接続されて起倒自在であり、かつ、延長自在な棒状の把手１３とを具備し、更に、清掃部１０にはクリーニングシート１の４隅または６隅を係止させて保持する４個または６個の係止穴からなるシート保持部１４を有している。
回動する２軸接続部１２を接続した清掃部１１は、２軸接続部１２が接続された反対側の清掃部１１の面を清掃部本体面１５としている。
【００２３】
機能シートとしてのクリーニングシート１は、清掃部１１の下面の清掃部本体面１５を覆って、かつ、左右両側の４隅のシート保持部１４に係合させて装着されている。したがって、水に濡らして余剰水を絞った後に、そのまま清掃用として使用できる。即ち、クリーニングシート１は、通常のモップ掛けと同様に、床面等の清掃を行うことができる。
この種の本実施の形態のクリーニングシート１は、基準シート２がパルプ繊維と熱可塑性繊維から形成されているので、清掃時における摩擦抵抗値が低く、軽い力でスムーズに水拭きを行うことができる。
【００２４】
また、長方形状の基準シート２と線条Ｌａ，Ｌｂ，Ｌｃ，Ｌｄ、線条Ｒａ，Ｒｂ，Ｒｃ，Ｒｄとが一体化されており、水で濡らしても、ワックスを含侵させても、それらのクリーニングシート１を強く絞っても繊維が分離することがない。なお、ここで線条Ｌａ，Ｌｂ，Ｌｃ，Ｌｄ、線条Ｒａ，Ｒｂ，Ｒｃ，Ｒｄとは、平面図において長円で形成した直線の線条を意味する。例えば、４隅を面取りしたものもこれに含まれるとする。
ここで、不織布とは、化学繊維、ガラス繊維、金属繊維、天然繊維等を織らずに、化学的或いは物理的方法によって結合する布地のことである。その製造工程が短期間であり、低コストである。なお、基準シート２は長繊維で、線条Ｌａ，Ｌｂ，Ｌｃ，Ｌｄ、線条Ｒａ，Ｒｂ，Ｒｃ，Ｒｄは短繊維を絡み合わせる処理で形成している。
【００２５】
次に、本実施の形態の機能シートとしてのクリーニングシート１について説明する。
この基準シート２は不織布シートまたは織布シートから構成されている。基準シート２は、平面に図示しない複数の丸穴からなる孔部が設けられている。本実施の形態では、不織布シートで基準シート２を構成しており、後の工程での絡み合わせが可能なように特定のシートパターンを用いて鑽孔シートを作成している。複数の孔部は完全な中空孔ではなく、後の工程で短繊維との絡み合わせが可能なように不織布の長繊維によって形成され、所謂、蜘蛛の巣状に薄く形成されている。
また、本発明を実施する場合には、基準シート２はジェットスプレーと協働する図示しない孔部を形成し、絡み合わせ可能な鑽孔シートを形成してもよい。そして、基準シート２を織布とする場合には、複数の丸穴からなる孔部を縦糸と横糸からなる角孔とするのが好適である。
【００２６】
基準シート２は不織布シートまたは織布シートから構成されているが、図示しない孔部の周囲を除き、基準シート２の全般にエンボス加工を施してもよい。即ち、不織布シートからなる基準シート２はエンボス加工により、孔部及びその周囲以外の面を面一としてもよい。または、最終工程で、長繊維の基準シート２に、短繊維の線条Ｌａ，Ｌｂ，Ｌｃ，Ｌｄ、線条Ｒａ，Ｒｂ，Ｒｃ，Ｒｄを固定化するのにエンボス加工を行ってもよい。特に、線条Ｌａ，Ｌｂ，Ｌｃ，Ｌｄ、線条Ｒａ，Ｒｂ，Ｒｃ，Ｒｄの個々の形状を定めるのに好適である。
【００２７】
長方形の基準シート２の対向する長辺２Ａ，２Ｂに対して直角な仮想基準線Ｘ−Ｘを描き、該描かれた仮想基準線Ｘ−Ｘに対して基準シート２面に不織布繊維の集合によってθ＝−４５度の傾斜角度で形成した線条Ｌａ，Ｌｂ，Ｌｃ，Ｌｄと、θ＝＋４５度の傾斜角度で線条Ｒａ，Ｒｂ，Ｒｃ，Ｒｄが互いに交差しないように線条を形成している。
ここで、θ＝−４５度の傾斜角度の線条Ｌａ，Ｌｂ，Ｌｃ，Ｌｄと、θ＝＋４５度の傾斜角度の線条Ｒａ，Ｒｂ，Ｒｃ，Ｒｄが交差しないように形成した線条とは、基準シート２の面に形成した線条Ｌａ，Ｌｂ，Ｌｃ，Ｌｄと線条Ｒａ，Ｒｂ，Ｒｃ，Ｒｄの実際の長さにおいて交差しないものであり、交差する長さを有していないものである。
【００２８】
更に、隣接する同一独立線条群（線条Ｒａ，Ｒｂ，Ｒｃ，Ｒｄからなる独立線条群Ｒ）にある線条Ｒａ，Ｒｂ，Ｒｃ，Ｒｄの最下端を結ぶ仮想直線Ｍ−Ｍは、隣接する同一前記独立線条群から最短距離にある前記線条の最上端を結ぶ仮想直線Ｎ−Ｎが重なり合う重複幅δに形成したものである。図示しないが、独立線条群（線条Ｌａ，Ｌｂ，Ｌｃ，Ｌｄからなる独立線条群Ｌ）も同様。このとき、線条Ｌａ，Ｌｂ，Ｌｃ，Ｌｄ、線条Ｒａ，Ｒｂ，Ｒｃ，Ｒｄの間隔を移動する異物は、独立線条群Ｒ，Ｌの線条Ｌａ，Ｌｂ，Ｌｃ，Ｌｄ、線条Ｒａ，Ｒｂ，Ｒｃ，Ｒｄに繰り返し衝突し、潜り込み、その後、独立線条群Ｒ，Ｌに保持されるから、清掃部本体面１５、即ち、清掃部本体面１５を異物が衝突、反射を経ないでストレートに通過することはない。即ち、長方形の基準シート２の対向する長辺２Ａと長辺２Ｂ、短辺２Ｃと短辺２Ｄを直接異物が抜け出ることがない。
【００２９】
また、同一線条太さ及び同一線条長さ及び同一線条間隔、同一線条数で形成したθ＝−４５度の線条Ｌａ，Ｌｂ，Ｌｃ，Ｌｄ及びθ＝＋４５度の線条Ｒａ，Ｒｂ，Ｒｃ，Ｒｄで形成した複数の独立線条群Ｒ，Ｌは、本実施の形態においては、線条数は４本、線条太さ１ｍｍ及び線条長さ２０ｍｍ、線条間隔２０ｍｍ、線条間隔２．５ｍｍ、独立線条群Ｒ，Ｌの１回の繰り返し距離３６．４で線条Ｌａ，Ｌｂ，Ｌｃ，Ｌｄ、線条Ｒａ，Ｒｂ，Ｒｃ，Ｒｄにより独立線条群Ｒ，Ｌを形成している。
特に、線条Ｌａ，Ｌｂ，Ｌｃ，Ｌｄ、線条Ｒａ，Ｒｂ，Ｒｃ，Ｒｄは、異物の通り抜けを防止し、かつ、長繊維と短繊維との絡み合わせにより、線条Ｌａ，Ｌｂ，Ｌｃ，Ｌｄ、線条Ｒａ，Ｒｂ，Ｒｃ，Ｒｄで形成された堤に潜り込ませたり、引っ掛かったりして異物を保持する。
この独立線条群Ｒ，Ｌのサイズは、従来のクリーニングシートの図形に比較して、３〜１０倍の大きさの寸法になるが、独立線条群Ｒ，Ｌは、個々に従来の図形程度のしなやかさを維持でき、ウエットティッシュ、お手拭き、体拭き、化粧落とし等としても使用できることが確認された。
【００３０】
次に、図２乃至図７を用いて、本実施の形態のクリーニングシート１の製造について説明する。
図７において、基準シート２は外部から供給されている。搬送ローラ及び搬送ローラからなるワイヤネットコンベア等のコンベア２１は、基準シート２を図面の左から右に搬送自在になっている。スパンレース処理部２３は基準シート２に短繊維の集合体を絡み合わせるスパンレースノズル（不織布用ノズル）３１が配設され、本実施の形態では、加工性の良さ、用途に応じた設計変更が容易なことから、クリーニングシート１の製造には高圧水流で繊維を絡み合わせるスパンレース法を用いている。スパンレース処理部２３の入口には、他に、空気の流れを整流する図示しないバッフル板及び空気ノズル２４が配設されている。
【００３１】
収集タンク２５は、線条Ｌａ，Ｌｂ，Ｌｃ，Ｌｄまたは線条Ｒａ，Ｒｂ，Ｒｃ，Ｒｄに使用しなかった余剰短繊維の入った余剰液体を集める容器で、収集タンク２５で収集された短繊維の入った液体は、それを攪拌すると共に、埃等の異物の混入を除去し、目的物の短繊維のみ通過させる攪拌濾過機２６に供給される。攪拌濾過機２６で、必要量の短繊維及び液体が混合され供給される。
流体を循環させる独立して配設したポンプ２７Ａとポンプ２７Ｂによって短繊維及び液体からなる流体を供給する。流体を供給するために所定の圧力を生成したポンプ２７Ａとポンプ２７Ｂによって管路２８と管路２９を通過し、マニホルド３０またはマニホルド４７に短繊維を攪拌させた流体を送給する。
【００３２】
マニホルド３０には、コンベア２１の長さ方向（進行方向）に対して−４５度の角度及び＋４５度の角度で複数のスパンレースノズル３１が配設されている。即ち、スパンレース処理部２３のコンベア２１の進行方向に対してスパンレースノズル３１が−４５度（コンベア２１の進行方向を軸とすると、左に４５度の角度傾いた移置）となっている。
即ち、コンベア２１の中央仮想線Ｘ−Ｘに対して、進行方向に−４５度（左に４５度の角度傾いた移置）と進行方向に＋４５度（右に４５度の角度傾いた移置）に複数個配列したスパンレースノズル３１を配設している。したがって、複数個配列したスパンレースノズル３１からは各々ジェットスプレー３１ａが噴射される。これにより、基準シート２の特定の面、例えば、表面等に線条Ｌａ，Ｌｂ，Ｌｃ，Ｌｄ、線条Ｒａ，Ｒｂ，Ｒｃ，Ｒｄが形成される。
【００３３】
このとき、圧力レギュレータ３２はマニホルド３０の管路２８に配置され、スパンレースノズル３１の圧力を調整し、基準シート２との間の高圧水流で繊維を絡み合わせるスパンレース法のエネルギーを調整し、高圧水流で基準シート２に繊維を絡み合わせる処理を行う。これにより、基準シート２に対する線条Ｌａ，Ｌｂ，Ｌｃ，Ｌｄ、線条Ｒａ，Ｒｂ，Ｒｃ，Ｒｄの位置、断面形状が特定される。
即ち、基準シート２は平面に複数の丸穴からなる孔部が設けられ、図３に示す例では、複数個の孔部によって線条Ｌａ，Ｌｂ，Ｌｃ，Ｌｄ、線条Ｒａ，Ｒｂ，Ｒｃ，Ｒｄを形成している。
【００３４】
本実施の形態のように、基準シート２は設けられた複数個の孔部を使用しているのは、線条Ｌａ，Ｌｂ，Ｌｃ，Ｌｄ、線条Ｒａ，Ｒｂ，Ｒｃ，Ｒｄの１本が堅固に基準シート２に絡み合わせ、かつ、最終工程でエンボス加工を行うと、基準シート２と線条Ｌａ，Ｌｂ，Ｌｃ，Ｌｄ、線条Ｒａ，Ｒｂ，Ｒｃ，Ｒｄの一体化が強くなる。また、複数個の孔部は３個乃至５個としてもよいし、孔部を設けないで、長円形状の線条Ｌａ，Ｌｂ，Ｌｃ，Ｌｄ、線条Ｒａ，Ｒｂ，Ｒｃ，Ｒｄを最初から形成してもよい。
発明者らの実験によれば、基準シート２は設けられた孔部の数と、長円形状の線条Ｌａ，Ｌｂ，Ｌｃ，Ｌｄ、線条Ｒａ，Ｒｂ，Ｒｃ，Ｒｄを最初から形成した場合とでは、大きな機械的強度の差は得られなかったが、両面に５個の孔部を設けたものは機械的に基準シート２と線条Ｌａ，Ｌｂ，Ｌｃ，Ｌｄ、線条Ｒａ，Ｒｂ，Ｒｃ，Ｒｄの分離がし難くなっていた。
【００３５】
このとき、基準シート２の線条Ｌａ，Ｌｂ，Ｌｃ，Ｌｄ、線条Ｒａ，Ｒｂ，Ｒｃ，Ｒｄの位置は、図示しないセンサによってスパンレースノズル３１からジェットスプレー３１ａが噴射されるタイミングを得るべく、噴射制御している。本実施の形態では、スパンレースノズル３１からのジェットスプレー３１ａの制御を行っているが、コンベア２１を繰り返し微動移動させるか、ステッピング動作により移動または停止動作を行ってもよい。
【００３６】
また、絞りローラ３４は、スパンレースノズル３１が配設されたスパンレース処理部２３の出口に配設され、基準シート２及び基準シート２の一方の面に配設した線条Ｌａ，Ｌｂ，Ｌｃ，Ｌｄ及び線条Ｒａ，Ｒｂ，Ｒｃ，Ｒｄに含まれている水分を絞るもので、基準シート２及びその基準シート２の上面に配設した線条Ｌａ，Ｌｂ，Ｌｃ，Ｌｄ及び線条Ｒａ，Ｒｂ，Ｒｃ，Ｒｄに含まれている水分を絞るものである。
コンベア２１は基準シート２をその終端まで搬送するが、その間に内部が減圧されている大径プーリ４０の外表面に吸引され、大径プーリ４０に沿って回動し、反対面に線条Ｌａ，Ｌｂ，Ｌｃ，Ｌｄ及び線条Ｒａ，Ｒｂ，Ｒｃ，Ｒｄを形成するコンベア４１に受け渡すことができる。
【００３７】
コンベア２１に載置した基準シート２は、線条Ｌａ，Ｌｂ，Ｌｃ，Ｌｄ及び線条Ｒａ，Ｒｂ，Ｒｃ，Ｒｄがスパンレース処理部２３で形成されているから、残りの面の線条Ｌａ，Ｌｂ，Ｌｃ，Ｌｄまたは線条Ｒａ，Ｒｂ，Ｒｃ，Ｒｄをスパンレース処理部４３で形成することになる。
スパンレース処理部４３にも、図示しないセンサによってスパンレースノズル４４からジェットスプレー４４ａが噴射されるタイミングを得て噴射制御している。本実施の形態では、スパンレースノズル４４からのジェットスプレー４４ａの制御を行っているが、コンベア４１を繰り返し微動移動させ、また、停止動作を行ってもよい。
【００３８】
圧力レギュレータ４５はマニホルド４７の管路２９に配置され、スパンレースノズル４４の圧力を調整し、基準シート２との間の高圧水流で繊維を絡み合わせるスパンレース法のエネルギーを調整し、高圧水流で基準シート２に繊維を絡み合わせる処理の程度を調整する。これにより、基準シート２に対する線条Ｌａ，Ｌｂ，Ｌｃ，Ｌｄ及び線条Ｒａ，Ｒｂ，Ｒｃ，Ｒｄの位置、断面形状が特定される。
即ち、基準シート２は平面に複数の丸穴からなる孔部が設けられ、図２に示す例では、負数個の孔部で相手材に絡み合わせ、全体として、線条Ｌａ，Ｌｂ，Ｌｃ，Ｌｄか、線条Ｒａ，Ｒｂ，Ｒｃ，Ｒｄの１本の長円が形成されている。
また、絞りローラ４６は、スパンレースノズル４４が配設されたスパンレース処理部４３の出口に配設され、基準シート２及び基準シート２に配設した線条Ｌａ，Ｌｂ，Ｌｃ，Ｌｄ及び線条Ｒａ，Ｒｂ，Ｒｃ，Ｒｄに含まれている水分を絞るものである。空気の流れを整流する図示しないバッフル板及び空気ノズル４２が配設されている。
【００３９】
これによって、基準シート２は大径プーリ４０でＵターンし、基準シート２の反対面の線条Ｌａ，Ｌｂ，Ｌｃ，Ｌｄ及び線条Ｒａ，Ｒｂ，Ｒｃ，Ｒｄの形成に入る。基本的には、大径プーリ４０で基準シート２の面を反転しているから、基準シート２の線条Ｌａ，Ｌｂ，Ｌｃ，Ｌｄ、線条Ｒａ，Ｒｂ，Ｒｃ，Ｒｄを先に絡み合わせ、反対面の形成はその後になる。
この場合、コンベア４１の中央仮想線に対して、θ＝＋４５度（右に４５度の角度傾いた移置）及びθ＝−４５度（左に４５度の角度傾いた移置）に複数個配列したスパンレースノズル４４を配設している。したがって、複数個配列したスパンレースノズル４４からはジェットスプレー４４ａが噴射される。
圧力レギュレータ４５はマニホルド４７の管路２９に配置され、スパンレースノズル４４の圧力を調整し、基準シート２との間の高圧水流で繊維を絡み合わせるスパンレース法のエネルギーをコンベア２１のスパンレース処理部２３とコンベア４１のスパンレース処理部４３を独立して調整している。
【００４０】
したがって、基準シート２は外部からスパンレース処理部２３に導入されると、スパンレースノズル３１からはジェットスプレー３１ａが噴射され、コンベア２１の間のスパンレース処理部２３で基準シート２に短繊維の不織布繊維との間の高圧水流で基準シート２に繊維を絡み合わせる処理となる。即ち、基準シート２の線条Ｌａ，Ｌｂ，Ｌｃ，Ｌｄ及び線条Ｒａ，Ｒｂ，Ｒｃ，Ｒｄを絡み合わせる。次いで、スパンレースノズル４４からはジェットスプレー４４ａが噴射され、コンベア４１の間のスパンレース処理部４３で基準シート２に短繊維の不織布繊維との間の高圧水流で基準シート２に繊維を絡み合わせ基準シート２の線条Ｒａ，Ｒｂ，Ｒｃ，Ｒｄ及び線条Ｌａ，Ｌｂ，Ｌｃ，Ｌｄを絡み合わせる処理となる。
【００４１】
このように形成された本実施の形態の機能シートとしてのクリーニングシート１は、不織布シートまたは織布シートからなる長方形状の基準シート２の対向する長辺２Ａ，２Ｂに対して直角である仮想基準線Ｘ−Ｘを表面に描き、その描かれた仮想基準線Ｘ−Ｘに対して基準シート２に不織布繊維の集合によってθ＝−４５度とθ＝＋４５度の傾斜角度が交差しないように形成した線条Ｌａ，Ｌｂ，Ｌｃ，Ｌｄ及び線条Ｒａ，Ｒｂ，Ｒｃ，Ｒｄと、前記−４５度の線条Ｌａ，Ｌｂ，Ｌｃ，Ｌｄ及び前記＋４５度の線条Ｒａ，Ｒｂ，Ｒｃ，Ｒｄを、同一線条太さ及び同一線条長さ及び同一線条間隔及び同一線条数で形成した複数の独立線条群Ｒ，Ｌを形成したものである。
【００４２】
更に、隣接する同一の独立線条群Ｒ，Ｌにある線条Ｌａ，Ｌｂ，Ｌｃ，Ｌｄと線条Ｒａ，Ｒｂ，Ｒｃ，Ｒｄの最下端を結ぶ仮想直線Ｍ−Ｍは、隣接する同一の独立線条群から最短距離にある線条Ｌａ，Ｌｂ，Ｌｃ，Ｌｄ及び線条Ｒａ，Ｒｂ，Ｒｃ，Ｒｄの最上端を結ぶ仮想直線Ｎ−Ｎと重なり合う重複幅δに形成したものである。ここで、独立線条群Ｒ，Ｌにある線条Ｌａ，Ｌｂ，Ｌｃ，Ｌｄまたは線条Ｒａ，Ｒｂ，Ｒｃ，Ｒｄの最下端を結ぶ仮想直線Ｍ−Ｍと、独立線条群Ｒ，Ｌから最短距離にある線条Ｌａ，Ｌｂ，Ｌｃ，Ｌｄと線条Ｒａ，Ｒｂ，Ｒｃ，Ｒｄの最上端を結ぶ仮想直線Ｎ−Ｎが重なり合う重複幅δとは、その重なりは最下端を結ぶ仮想直線Ｍ−Ｍと最上端を結ぶ仮想直線Ｎ−Ｎとが単一の仮想直線（重複幅δ＝０）となってもよいし、重複幅δを持ってもよい。
【００４３】
しかも、隣接する同一の独立線条群Ｒ，Ｌにある線条Ｌａ，Ｌｂ，Ｌｃ，Ｌｄと線条Ｒａ，Ｒｂ，Ｒｃ，Ｒｄの最下端を結ぶ仮想直線Ｍ−Ｍは、隣接する同一独立線条群Ｒ，Ｌから最短距離にある線条Ｌａ，Ｌｂ，Ｌｃ，Ｌｄと線条Ｒａ，Ｒｂ，Ｒｃ，Ｒｄの最上端を結ぶ仮想直線Ｎ−Ｎが重なり合う重複幅δに形成しているから、仮に、線条Ｌａ，Ｌｂ，Ｌｃ，Ｌｄと線条Ｒａ，Ｒｂ，Ｒｃ，Ｒｄの間隔（上部は基準シート２の一部）を移動する異物でも、独立線条群Ｒ，Ｌの線条Ｌａ，Ｌｂ，Ｌｃ，Ｌｄ及び線条Ｒａ，Ｒｂ，Ｒｃ，Ｒｄに衝突し、次々と反射及び衝突するから、清掃部本体面１５をストレートに通過し、清掃漏れがなくなる。即ち、重複幅δにより、基準シート２の対向する長辺２Ａと長辺２Ｂの間、短辺２Ｃと短辺２Ｄの間を直接異物が通り抜けるものはない。
【００４４】
したがって、−４５度と＋４５度の傾斜角度で交差しないように形成した線条Ｌａ，Ｌｂ，Ｌｃ，Ｌｄ、線条Ｒａ，Ｒｂ，Ｒｃ，Ｒｄは、清掃具２０の清掃部本体面１５を手前から奥に繰り返し直線往復道させたり、清掃部本体面１５を直線上を左右に振ったりすると、例えば、床上のほこり、髪の毛、固形ゴミ等の異物は、清掃具２０の清掃部本体面１５を手前から奥に繰り返し往復させたときの、θ＝＋４５度とθ＝−４５度の傾斜角度の線条Ｌａ，Ｌｂ，Ｌｃ，Ｌｄ、線条Ｒａ，Ｒｂ，Ｒｃ，Ｒｄに対して４５度の衝突角度で衝突し、同様に４５度の反射によって隣接する＋４５度と−４５度の傾斜角度の線条に衝突する。このとき、重複幅δ＝＋４５度と重複幅δ＝−４５度の傾斜角度を有する線条Ｌａ，Ｌｂ，Ｌｃ，Ｌｄ、線条Ｒａ，Ｒｂ，Ｒｃ，Ｒｄの反発係数が小さく、個々の不織布繊維により保持されるから、何れかの線条Ｌａ，Ｌｂ，Ｌｃ，Ｌｄ、線条Ｒａ，Ｒｂ，Ｒｃ，Ｒｄで異物が確保される。また、不織布シートまたは織布シートからなる長方形状の基準シートは、その厚み方向の中間に位置し、床上のほこり、髪の毛、固形ゴミの上にあっても、弾性によってそれらを保持し、４５度の反射によって隣接する＋４５度と−４５度の傾斜角度の線条Ｌａ，Ｌｂ，Ｌｃ，Ｌｄ、線条Ｒａ，Ｒｂ，Ｒｃ，Ｒｄに衝突し、不織布シートまたは織布シートからなる長方形状の基準シート２から離れ難くなる。
【００４５】
また、線条Ｌａ，Ｌｂ，Ｌｃ，Ｌｄ、線条Ｒａ，Ｒｂ，Ｒｃ，Ｒｄの延びる方向に隣接する独立線条群Ｒ，Ｌの両端部は、延長線を描けば９０度の角度で交差する隣接した独立線条群Ｒ，Ｌの線条Ｌａ，Ｌｂ，Ｌｃ，Ｌｄ、線条Ｒａ，Ｒｂ，Ｒｃ，Ｒｄがあり、清掃部本体面１５の面を異物がストレートに通過することがないから、異物は何れかの位置でクリーニングシート１に潜り込み、絡み合っている。そして、清掃具２０の清掃部本体面１５に下方向の力を加えた場合にも、上下方向の弾性力及び隙間間の弾性力によって異物はクリーニングシート１に潜り込み、絡み合う。
【００４６】
本実施の形態のクリーニングシート１の複数の独立線条群Ｒ，Ｌは、基準シート２を透過させたとき、表裏の独立線条群Ｒ，Ｌが同一位置に重なるものであるから、クリーニングシート１の複数の独立線条群Ｒ，Ｌに対して外力が加わっても、線条Ｌａ，Ｌｂ，Ｌｃ，Ｌｄと線条Ｒａ，Ｒｂ，Ｒｃ，Ｒｄの厚みの約１／２の位置に基準シート２の位置があり、しかも、弾性を有することから、複数の独立線条群Ｒ，Ｌで囲まれた空間及び線条Ｌａ，Ｌｂ，Ｌｃ，Ｌｄと線条Ｒａ，Ｒｂ，Ｒｃ，Ｒｄは、異物の格納エリアとして作用する。また、４５度の反射によって隣接する重複幅δ＝＋４５度と重複幅δ＝−４５度の傾斜角度の線条に衝突し、不織布シートまたは織布シートからなる長方形状の基準シート２から離れ難くなる。
【００４７】
発明者らは基準シート２の表裏に線条Ｌａ，Ｌｂ，Ｌｃ，Ｌｄの厚みまたは線条Ｒａ，Ｒｂ，Ｒｃ，Ｒｄの厚みの中間位置に基準シート２の位置、線条間隔が定まり、それが功を奏し、基準シート２または線条Ｌａ，Ｌｂ，Ｌｃ，Ｌｄ、線条Ｒａ，Ｒｂ，Ｒｃ，Ｒｄで囲まれた線条間隔に異物が潜り込み、不織布の糸の弾性力が作用し、その異物が弾性的に保持していると判断した。
しかし、例えば、本実施の形態の機能シートとしてのクリーニングシート１の製造装置において、コンベア２１のみを生かしたスパンレース処理部２３で、基準シート２に短繊維の不織布繊維との間の高圧水流で基準シート２に繊維を絡み合わせ、基準シート２の表面のみ（片面のみ）に線条Ｌａ，Ｌｂ，Ｌｃ，Ｌｄの厚み及び線条Ｒａ，Ｒｂ，Ｒｃ，Ｒｄの厚みを形成したクリーニングシート１を試験的に製造した。
【００４８】
ここで、基準シート２の表面のみ線条Ｌａ，Ｌｂ，Ｌｃ，Ｌｄ及び線条Ｒａ，Ｒｂ，Ｒｃ，Ｒｄを形成したものと、基準シート２の表面及び裏面に線条Ｌａ，Ｌｂ，Ｌｃ，Ｌｄ及び線条Ｒａ，Ｒｂ，Ｒｃ，Ｒｄを形成したものとを比較した。結果的に、両者間に大きな差異は生じなかった。独立線条群Ｒ及び独立線条群Ｌを約２０ｍｍ×３７ｍｍの形状で実験を行い、約１０ｍｍ×２０ｍｍ〜約２０ｍｍ×４０ｍｍの寸法では、クリーニングシート１の性状の変化は見られなかった。
即ち、線条Ｌａ，Ｌｂ，Ｌｃ，Ｌｄ、線条Ｒａ，Ｒｂ，Ｒｃ，Ｒｄは、スパンレース法で処理を行うとき、線条Ｌａ，Ｌｂ，Ｌｃ，Ｌｄ及び線条Ｒａ，Ｒｂ，Ｒｃ，Ｒｄの密度が高くなり、その質量も増加する。したがって、線条Ｌａ，Ｌｂ，Ｌｃ，Ｌｄ及び線条Ｒａ，Ｒｂ，Ｒｃ，Ｒｄが、言い換えれば、それが橋桁となり、その間の線条間隔で保持するものであるから、何れかの線条Ｌａ，Ｌｂ，Ｌｃ，Ｌｄ、線条Ｒａ，Ｒｂ，Ｒｃ，Ｒｄで異物が衝突すれば、線条Ｌａ，Ｌｂ，Ｌｃ，Ｌｄ、線条Ｒａ，Ｒｂ，Ｒｃ，Ｒｄに潜り込み、確保されるという結果がでた。
【００４９】
簡単に説明すると、線条Ｌａ，Ｌｂ，Ｌｃ，Ｌｄ、線条Ｒａ，Ｒｂ，Ｒｃ，Ｒｄは、基準シート２よりも密度が高く、その質量も増加するから、線条Ｌａ，Ｌｂ，Ｌｃ，Ｌｄ、線条Ｒａ，Ｒｂ，Ｒｃ，Ｒｄは外力を加えても、変化量が少ない。基準シート２は線条Ｌａ，Ｌｂ，Ｌｃ，Ｌｄ、線条Ｒａ，Ｒｂ，Ｒｃ，Ｒｄよりも密度が低く、その質量も少ないから、線条Ｌａ，Ｌｂ，Ｌｃ，Ｌｄと線条Ｒａ，Ｒｂ，Ｒｃ，Ｒｄの変化に追随する。しかし、その基準シート２の密度変化、質量変化は少ないから、基準シート２に異物等の集塵機能を持つ。したがって、線条Ｌａ，Ｌｂ，Ｌｃ，Ｌｄ、線条Ｒａ，Ｒｂ，Ｒｃ，Ｒｄに異物が衝突すれば、或いは誘導されれば、そこに異物が潜り込み、確保されると推定される。
【００５０】
即ち、不織布シートまたは織布シートからなる長方形状の基準シート２は、その厚み方向に位置し、床上のほこり、髪の毛、固形ゴミの上にあっても、弾性によってそれらを保持し、４５度の反射によって隣接するθ＝＋４５度とθ＝−４５度の傾斜角度の線条Ｌａ，Ｌｂ，Ｌｃ，Ｌｄ、線条Ｒａ，Ｒｂ，Ｒｃ，Ｒｄに衝突し、不織布シートまたは織布シートからなる長方形状の基準シート２から離れ難くなり、通常は、線条Ｌａ，Ｌｂ，Ｌｃ，Ｌｄ、線条Ｒａ，Ｒｂ，Ｒｃ，Ｒｄ内に収容され、異物保持特性は維持される。
これにより、基準シート２を線条Ｌａ，Ｌｂ，Ｌｃ，Ｌｄと線条Ｒａ，Ｒｂ，Ｒｃ，Ｒｄで１／２の高さに持ち上げなくても、線条Ｌａ，Ｌｂ，Ｌｃ，Ｌｄと線条Ｒａ，Ｒｂ，Ｒｃ，Ｒｄが芯となり、基準シート２が若干浮き上がり、異物の移動路が線条間隔で形成されることが確認された。
【００５１】
したがって、基準シート２の両面に線条Ｌａ，Ｌｂ，Ｌｃ，Ｌｄと線条Ｒａ，Ｒｂ，Ｒｃ，Ｒｄを形成しなくとも、片面のみに形成すればよいことが判明した。
また、上記実施の形態では、基準シート２に複数個の孔部を設けたものに、線条Ｌａ，Ｌｂ，Ｌｃ，Ｌｄと線条Ｒａ，Ｒｂ，Ｒｃ，Ｒｄに短繊維を平面的に絡み合わせる処理について説明したが、基準シート２に無地の１〜４ｍｍの厚みの不織布シート（マット）を使用してクリーニングシート１を製造した。
【００５２】
図８の概略構成図に示す機能シートとしての他のクリーニングシート製造装置を用いて、その製造を説明する。
基準シート２は、端部の写真撮影で算出した２ｍｍの厚みの不織布とした。なお、後日の実験によって、本発明を実施する場合には、不織布は織布でもよいことが確認された。
本実施の形態のクリーニングシート１のステンレス板で形成したマスクドラム７０は、図２に示した線条Ｌａ，Ｌｂ，Ｌｃ，Ｌｄ、線条Ｒａ，Ｒｂ，Ｒｃ，Ｒｄの図形が環状に形成した貫通孔として形成されており、線条Ｌａ，Ｌｂ，Ｌｃ，Ｌｄ、線条Ｒａ，Ｒｂ，Ｒｃ，Ｒｄを形成するマスクである。
そのマスクドラム７０の周囲には、均質の基準シート８０（基準シート２）がマスクドラム７０の周囲に沿って回転するように、ガイド筒体８１及びガイド筒体８２により、図８の左から右へ搬送している。マスクドラム７０の周囲には、ガイド筒体８１及びガイド筒体８２により、２００〜２７０度の角度範囲で基準シート８０がマスクドラム７０の外周と等速に回動するようになっている。
【００５３】
マスクドラム７０は端部が閉じていて、そこに管路６１に接続されたマニホルド６２を配設している。管路６１及び図示しないマニホルド６２の管内圧力は、図示しない圧力レギュレータによってスパンレースノズル６３の圧力を調整し、基準シート８０との間の高圧水流で繊維を絡み合わせるスパンレース法のエネルギーを調整し、高圧水流で基準シート８０に繊維を絡み合わせる処理をしている。これにより、基準シート８０に対する線条Ｌａ，Ｌｂ，Ｌｃ，Ｌｄ、線条Ｒａ，Ｒｂ，Ｒｃ，Ｒｄの位置、断面形状が特定される。
マスクドラム７０の下方には、高圧水流で基準シート８０に短繊維を絡み合わせた後の、余剰液を収集する収集タンク７３が配設されている。収集タンク７３には、攪拌濾過機７４が接続されていて、必要量の短繊維及び液体が混合され、流体を循環させるポンプ７６によってその短繊維及び液体からなる流体が供給される。
【００５４】
所定の圧力を生成するポンプ７６によって、管路６１を通過し、マニホルド６２に必要量の短繊維及び液体が供給される。このスパンレースノズル６３からはジェットスプレー６３ａが常時噴射され、所定の角度範囲内がマスクドラム７０の貫通孔を通過した短繊維によって線条Ｌａ，Ｌｂ，Ｌｃ，Ｌｄ、線条Ｒａ，Ｒｂ，Ｒｃ，Ｒｄが形成される。このとき、ジェットスプレー６３ａからの噴射により、線条Ｒａ，Ｒｂ，Ｒｃ，Ｒｄ及び線条Ｌａ，Ｌｂ，Ｌｃ，Ｌｄの位置は密度が高くなり、その質量も増加し、比較的弾性の高い塊となる。結果として、独立線条群Ｒ，Ｌ及び線条Ｒａ，Ｒｂ，Ｒｃ，Ｒｄ及び線条Ｌａ，Ｌｂ，Ｌｃ，Ｌｄにおける不織布シートまたは織布シートは、繊維の密度が密であり、質量が大であるから、当該不織布シートまたは当該織布シートの繊維密度が高く形成できるから、毛細管現象により、液体の吸収及び保持能力が大きくなる。
【００５５】
したがって、マスクドラム７０には、線条Ｌａ，Ｌｂ，Ｌｃ，Ｌｄ、線条Ｒａ，Ｒｂ，Ｒｃ，Ｒｄを形成する貫通孔が形成されているから、常時、スパンレースノズル６３からジェットスプレー６３ａが噴射され、マスクドラム７０内のスパンレース処理部７５で基準シート８０に短繊維の不織布繊維との間の高圧水流で基準シート８０に繊維を絡み合わせ基準シート８０の線条Ｒａ，Ｒｂ，Ｒｃ，Ｒｄまたは線条Ｌａ，Ｌｂ，Ｌｃ，Ｌｄを絡み合わせる。
図２に示した図形が環状のマスクドラム７０に貫通孔として描かれており、そのマスクドラム７０の周囲を基準シート８０がマスクドラム７０の周囲に沿ってマスクドラム７０と等速に回転するように、ガイド筒体８１及びガイド筒体８２により等速運動している。即ち、マスクドラム７０の周囲には、ガイド筒体８１及びガイド筒体８２により基準シート８０がマスクドラム７０の外周と等速になっているから、形状が基準シート８０に転写される。
【００５６】
よって、マスクドラム７０の貫通孔を通してスパンレースノズル６３からジェットスプレー６３ａが噴射され、短繊維からなる不織布繊維との間の高圧水流で基準シート８０に繊維が絡み合うから線条Ｒａ，Ｒｂ，Ｒｃ，Ｒｄまたは線条Ｌａ，Ｌｂ，Ｌｃ，Ｌｄの位置のみの密度が高くなり、その質量も増加する。このとき、線条Ｒａ，Ｒｂ，Ｒｃ，Ｒｄまたは線条Ｌａ，Ｌｂ，Ｌｃ，Ｌｄは塊となり、その間は、マスクドラム７０からの剥離により、基準シート８０の床側には密度の低い、質量の少ない異物通路が線条間隔によって形成される。
この実施の形態の機能シートとしてのクリーニングシート１についても、片側から高圧水流で基準シート８０に短繊維が絡み合うようにして線条Ｒａ，Ｒｂ，Ｒｃ，Ｒｄ及び線条Ｌａ，Ｌｂ，Ｌｃ，Ｌｄを形成している。加えて、独立線条群Ｒ，Ｌ及び線条Ｒａ，Ｒｂ，Ｒｃ，Ｒｄ及び線条Ｌａ，Ｌｂ，Ｌｃ，Ｌｄにおける前記不織布シートまたは前記織布シートは、繊維の密度が密であり、質量が大であるから、当該不織布シートまたは当該織布シートの繊維密度が高く形成できるから、毛細管現象により、液体の吸収及び保持能力が大きくなる。
【００５７】
但し、隣接する同一の独立線条群Ｒ，Ｌにある線条Ｒａ，Ｒｂ，Ｒｃ，Ｒｄまたは線条Ｌａ，Ｌｂ，Ｌｃ，Ｌｄの最下端を結ぶ仮想直線Ｍ−Ｍは、隣接する同一の独立線条群Ｎ−Ｎから最短距離にある線条Ｒａ，Ｒｂ，Ｒｃ，Ｒｄまたは線条Ｌａ，Ｌｂ，Ｌｃ，Ｌｄの最上端を結ぶ仮想直線Ｎ−Ｎが重なり合う重複幅δに形成したものである。
よって、基準シート８０を線条Ｌａ，Ｌｂ，Ｌｃ，Ｌｄと線条Ｒａ，Ｒｂ，Ｒｃ，Ｒｄで約１／２の高さに持ち上げなくても、線条Ｌａ，Ｌｂ，Ｌｃ，Ｌｄと線条Ｒａ，Ｒｂ，Ｒｃ，Ｒｄが芯となり、基準シート８０の線条間隔が浮き上がり、床上のほこり、髪の毛、固形ゴミ、しみ汚れ、付着液体等の異物を潜り込ませ、繰り返し保持し、または床の保護、つや出し等の床管理を行うことが確認された。
また、上記実施の形態では、基準シート２に複数個の孔部を設けたものに、線条Ｌａ，Ｌｂ，Ｌｃ，Ｌｄと線条Ｒａ，Ｒｂ，Ｒｃ，Ｒｄに短繊維を平面的に絡み合わせる処理について説明したが、この実験により、無地の１〜３ｍｍの厚みの基準シート８０に不織布シート（マット）を使用しても、期待する特性が確保できることが確認された。
【００５８】
上記実施の形態の機能シートとしてのクリーニングシート１は、更に、清掃具１０の清掃部本体面１５の長辺に前記基準シート２，８０の長辺２Ａ，２Ｂを、清掃具１０の清掃部本体面１５の短辺に基準シート２，８０の短辺２Ｃ，２Ｄを対応付けて取付けたものであるから、清掃具１０の清掃部本体面１５に基準シート２，８０の長辺２Ａ，２Ｂを取付けるものであり、清掃具１０の清掃部本体面１５への取付けを間違いなく行うことができる。
【００５９】
ここで、上記実施の形態にかかる機能シートとしてのクリーニングシート１は、不織布シートまたは織布シートからなる長方形状の基準シート２，８０の対向する２辺２Ａ，２Ｂに対して直角な仮想基準線Ｘ−Ｘを描き、描かれた仮想基準線Ｘ−Ｘに対して、基準シート２，８０に不織布繊維の集合によって−４５度と＋４５度の傾斜で、同一線条太さ、同一線条長さ、同一線条間隔、同一線条数で形成した複数の独立線条群Ｒ，Ｌを形成したものである。因みに、本発明の全体は概略四崩し縞（四崩し）を４５度傾かせたかの如く全体概念的形状を呈している。
また、上記−４５度と＋４５度の傾斜角度で形成した線条Ｌａ，Ｌｂ，Ｌｃ，Ｌｄまたは線条Ｒａ，Ｒｂ，Ｒｃ，Ｒｄは、基準シート２，８０の対向する長辺２Ａ，２Ｂに対して直角な仮想基準線Ｘ−Ｘを設定し、該設定された前記仮想基準線Ｘ−Ｘに対して基準シート２，８０の両面に不織布繊維の集合によって形成したものである。
【００６０】
そして、上記複数の独立線条群Ｒ，Ｌは、基準シート２，８０の対抗する２辺（１辺でも可）に対して直角な仮想基準線Ｘ−Ｘを設定し、該設定された仮想基準線Ｘ−Ｘに対して基準シート２，８０に不織布繊維の集合によって−４５度の傾斜で、＋４５度の傾斜で、同一線条太さ、同一線条長さ、同一線条間隔で形成した線条Ｌａ，Ｌｂ，Ｌｃ，Ｌｄ、線条Ｒａ，Ｒｂ，Ｒｃ，Ｒｄで互いに独立したものである。
【００６１】
上記実施の形態にかかる機能シートとしてのクリーニングシート１の複数の独立線条群Ｒ，Ｌは、基準シート２，８０を透過させたとき、表裏の線条群がシルエットラインが同一位置に重なるものである。
ここで、上記複数の独立線条群Ｒ，Ｌは、基準シート２，８０を透過させたとき、表裏の線条群が同一位置（表裏同一）に重なるものであるから、基準シート２，８０は表裏の線条群によって浮上させられ、線条間隔で異物を収集するのに好適となる。
【００６２】
上記実施の形態にかかる機能シートとしてのクリーニングシート１は、更に、清掃具１０の清掃部本体面１５の長辺に基準シート２，８０の長辺２Ａ，２Ｂを、清掃具１０の清掃部本体面１５の短辺に基準シート２の短辺２Ｃ，２Ｄを対応付けて取付けたものである。
ここで、上記清掃具１０の清掃部本体面１５は、その長辺に基準シート２の長辺２Ａ，２Ｂを、その短辺に基準シート２の短辺２Ｃ，２Ｄを対応付けて取付けて清掃具１０としたものであるが、作業者は何も考えないで取付けることができる。
【００６３】
上記実施の形態にかかる機能シートとしてのクリーニングシート１は、線条Ｌａ，Ｌｂ，Ｌｃ，Ｌｄと線条Ｒａ，Ｒｂ，Ｒｃ，Ｒｄの−４５度と＋４５度の傾度は、互いに±１５度の傾度の範囲内としたものである。即ち、線条Ｌａ，Ｌｂ，Ｌｃ，Ｌｄと線条Ｒａ，Ｒｂ，Ｒｃ，Ｒｄの−４５度と＋４５度の傾度は、４５度の傾度に意味があるが、互いに±１５度の傾度の範囲内であれば、特性が維持されることが確認された。
【００６４】
更に、図９は基本的に本実施の形態の機能シートは『崩し縞』からみれば、図９の実施の形態３のクリーニングシートの『三崩し縞』の平面図、図１０に示す実施の形態３のクリーニングシートの『五崩し縞』の平面図の構成を、発明の概念として表現できる。
本実施の形態の『崩し縞』は、独立線条群Ｒの最下端を結ぶ仮想直線Ｍ−Ｍと、隣接する独立線条群Ｒの最上端を結ぶ仮想直線Ｎ−Ｎとの間に重複幅δが存在するものである。また、同時に、独立線条群Ｌの最下端を結ぶ仮想直線Ｍ−Ｍと、隣接する独立線条群Ｌの最上端を結ぶ仮想直線Ｎ−Ｎとの間に重複幅δが存在するものである。
【００６５】
したがって、例えば、床上のほこり、髪の毛、固形ゴミ等の異物は、清掃具１０の清掃部本体面１５を手前から奥に繰り返し往復させたときに、線条Ｌａ，Ｌｂ，Ｌｃ，Ｌｄ、線条Ｒａ，Ｒｂ，Ｒｃ，Ｒｄに対して４５度の衝突角度で衝突し、同様に４５度の反射によって隣接する＋４５度と−４５度の傾斜角度の線条Ｌａ，Ｌｂ，Ｌｃ，Ｌｄ、線条Ｒａ，Ｒｂ，Ｒｃ，Ｒｄに衝突する。よって、床上のほこり、髪の毛、固形ゴミ等の異物を残したまま掃除を終了することがない。
【００６６】
そして、＋４５度と−４５度の傾斜角度の線条Ｌａ，Ｌｂ，Ｌｃ，Ｌｄと線条Ｒａ，Ｒｂ，Ｒｃ，Ｒｄが、＋４５度と−４５度の傾斜角度で設けられているから、線条Ｌａ，Ｌｂ，Ｌｃ，Ｌｄと線条Ｒａ，Ｒｂ，Ｒｃ，Ｒｄが異物と衝突すると、反射角度が４５度となって移動するから、本実施の形態のクリーニングシート１が迷路のようになり、異物がクリーニングシート１から容易に外に出られない。
【００６７】
また、基準シート２は、線条Ｌａ，Ｌｂ，Ｌｃ，Ｌｄと線条Ｒａ，Ｒｂ，Ｒｃ，Ｒｄの中間に位置しているから、線条Ｌａ，Ｌｂ，Ｌｃ，Ｌｄと線条Ｒａ，Ｒｂ，Ｒｃ，Ｒｄの中間が上下方向の弾性を維持し、線条Ｌａ，Ｌｂ，Ｌｃ，Ｌｄと線条Ｒａ，Ｒｂ，Ｒｃ，Ｒｄの間に保持されるから、清掃によって除去された異物が大きい場合には保持された状態で、小さい場合には、線条Ｌａ，Ｌｂ，Ｌｃ，Ｌｄまたは線条Ｒａ，Ｒｂ，Ｒｃ，Ｒｄに潜り込んで保持される。
【００６８】
加えて、独立線条群Ｒ，Ｌ及び線条Ｌａ，Ｌｂ，Ｌｃ，Ｌｄと線条Ｒａ，Ｒｂ，Ｒｃ，Ｒｄにおける不織布シートまたは織布シートは、繊維の密度が密で、質量が大な構成としているから、当該不織布シートまたは当該織布シートの繊維密度が高く形成でき、毛細管現象により、液体の吸収及び保持能力が大きくなる。この独立線条群Ｒ，Ｌ及び線条Ｌａ，Ｌｂ，Ｌｃ，Ｌｄと線条Ｒａ，Ｒｂ，Ｒｃ，Ｒｄの繊維の密度が密で、質量が大とは、基準シート２に比較して密であるか、質量が大であるかが判定できればよい。
上記実施の形態では、θ＝−４５度及びθ＝＋４５度の線条の複数の独立線条群が、同一線条太さ及び同一線条長さ及び同一線条間隔、同一線条数で形成した。しかし、これらは１０〜３０％の誤差を有していても、実施できないものではない。本発明を実施するにあたっては、全体のバランスから見栄え等を考慮したものである。
【００６９】
上記実施の形態の機能シートは、床上のほこり、髪の毛、固形ゴミ、しみ汚れ、付着液体等の異物の除去、床の保護、つや出し等の床管理に用いられ、効率の良い異物の確保を行うクリーニングシートに使用できる機能シートの事例で説明したが、また、基準シートと独立線条群とが独自に移動することから、難水溶性の不織布にアルコールまたは次亜塩素酸ナトリウム等の水溶液を含ませ、おしぼりとしてのウエットティッシュ（濡れおしぼり）、ウエットティッシュを小型化して駅弁等に添付するお手拭き、病人或いは何らかの体に障害がある人の体拭きとしても使用できる。また、人体や器物を拭うことで汚れを取り除く、便器等の衛生用日用品及び便座を除菌、殺菌、拭き掃除に使用することもできる。更に、ペットの動物向け商品としても使用できる。人の使用する化粧面としても使用できる。
【符号の説明】
【００７０】
１    クリーニングシート
２，８０    基準シート
Ｌａ，Ｌｂ，Ｌｃ，Ｌｄ    線条
Ｒａ，Ｒｂ，Ｒｃ，Ｒｄ    線条
Ｒ    独立線条群
Ｌ    独立線条群
δ    重複位置
１０    清掃用具
１１    清掃部
１５    清掃部本体面
【図１】
2018071024.tif 000003
【図２】
2018071024.tif 000004
【図３】
2018071024.tif 000005
【図４】
2018071024.tif 000006
【図５】
2018071024.tif 000007
【図６】
2018071024.tif 000008
【図７】
2018071024.tif 000009
【図８】
2018071024.tif 000010
【図９】
2018071024.tif 000011
【図１０】
2018071024.tif 000012
【手続補正書】
【提出日】平成29年2月24日(2017.2.24)
【手続補正１】
【補正対象書類名】特許請求の範囲
【補正対象項目名】全文
【補正方法】変更
【補正の内容】
【特許請求の範囲】
【請求項１】
不織布シートまたは織布シートからなる長方形状の基準シートと、
前記基準シートの対向する長辺に対して直角な仮想基準線を描き、該描かれた前記仮想基準線に対して前記基準シート面に不織布繊維の集合によって−４５度と＋４５度の傾斜角度で、かつ、前記基準シートよりも密度が密で、質量の大なる交差しない直線を形成した線条と、
前記−４５度及び前記＋４５度の線条は、同一線条太さ及び同一線条長さ及び同一線条間隔、同一線条数で形成した複数の独立線条群を具備し、
前記−４５度または前記＋４５度の傾斜角度の前記独立線条群の前記線条の最上端を結ぶ仮想直線と、前記独立線条群の前記線条の前記最上端に隣接する同一傾斜角度の前記独立線条群の前記線条の最下端を結ぶ仮想直線との間に、前記傾斜角度の前記独立線条群との重複幅が存在することを特徴とする機能シート。
【手続補正２】
【補正対象書類名】明細書
【補正対象項目名】全文
【補正方法】変更
【補正の内容】
【発明の詳細な説明】
【技術分野】
【０００１】
本発明は、清掃部と前記清掃部に連結された棒状の把手を具備する掃除具の前記清掃部に装着された床材等をクリーニングするクリーニングシート等の機能シートに関するものである。床の保護、つや出し等の床の清掃や、手入れに用いられる床材に対するワックス掛けをする場合の機能シートとして使用する場合もある。また、この機能シートは、クリーニングシートに限らず、ウエットティッシュ、お手拭き、体拭き、化粧落とし等としても使用できる。
【背景技術】
【０００２】
従来のモップ状の掃除具として、例えば、床上のほこり、髪の毛、固形ゴミ、しみ汚れ、付着液体等の異物の除去を行う清掃や、床の保護、つや出し等の床の手入れに用いられるクリーニングシートが機能シートとして周知である。
例えば、特許文献１に記載されているように、洗浄剤を含浸させて手で直接拭くタイプのクリーニングシートが知られている。しかし、これをモップ状の掃除具に装着して清掃する場合、床のシミ汚れと清掃性と、片手で軽く拭ける操作性とを両立させることは困難である。
特許文献２には、洗浄剤を含浸させて手で拭くクリーニングシートが記載されている。このクリーニングシートは、モップ状の掃除具に装着すると、長繊維が床の突起等に引っかかってシートが破れることがある。また、モップ状の掃除具に装着して使用すると、拭き始めに洗浄剤が出過ぎて広い面積を清掃したくても持続性がない。
そこで、使い捨てのクリーニングシートでは、特許文献３、特許文献４、特許文献５に記載のように、クリーニングシートまたは床に洗浄剤や水等を供給しながら清掃を行う方法が一般的である。
【０００３】
このような清掃方法は、クリーニングシートを装備した掃除具以外に、洗浄剤を手に持ち、清掃途中でシートを掃除具から外して水に濡らすなど、非常に手間の掛かるものである。また、水に濡らした後のしぼり加減が弱い場合には、清掃初期に水が床に出過ぎて逆に汚れを塗り広げることがある。また、乾式清掃用のモップのように柄の強度が弱いと、その操作性が悪くなることもある。更に、一部の木質系の床に対してはクラック等の亀裂損傷を与えることもある。その上、前記公報においては表面にスパンレース不織布を有するクリーニングシートが用いられているものの、クリーニングシートは含水状態での髪の毛や綿ボコリの異物の絡み取り性が充分でなかった。
【先行技術文献】
【特許文献】
【０００４】
【特許文献１】実開平４−８９２５１号公報
【特許文献２】特表平１１−５０８２５６号公報
【特許文献３】特開平１０−２６２８８３号公報
【特許文献４】特開平１０−２８６２０６号公報
【特許文献５】特開平９−１３１２８８号公報
【特許文献６】特表２００５−５０７２７１号公報
【特許文献７】特表２００５−４２２９０号公報
【発明の概要】
【発明が解決しようとする課題】
【０００５】
特に、特許文献１はクリーニングシートを開示しているものの、表面に形成された格子模様には基材に物質を格納するという技術思想は存在していない。また、特許文献２には支持体の粘り強さを持たせたものであるが、擦り動作の結果、支持体の表面から毛髪等の突出する技術を開示しており、特許文献１と同様、物質を格納するという技術思想は存在していない。
特許文献３には、滑り性がよく、吸水性及び保水性にも優れ、乾拭き及び水拭きの両方に使用できる構成が開示されている。この接合線の部分では３層のシートが加圧されて没状となっているため、接合線と非接合線との境界部でシートに盛り上がりが形成され、この盛り上がりの部分で汚れの掻き取り効果を発揮するとの記載（段落［0034］）があるものの、クリーニングシートに物質を格納するという考え方は存在していない。
更に、特許文献４のエンボス処理されたクリーニングシートは、複数の凸部を有しており、各凸部は線条の凹部により区切られている。そして、本形態においては、該凹部により菱形の網目状の連続したパターンが形成されるようになされているから、ここには、クリーニングシートに物質を格納するという考え方は存在していない。
【０００６】
特許文献５は、液透過性のクリーニングシートからなる拭取部と、前記拭取部で拭取った液を吸収する液吸収体とを具備し、前記クリーニングシートは、多数の凸部を有し、清掃時において被清掃面に接触する前記凸部の面積がクリーニングシート全体の面積に対して５〜６０％とした技術である。しかし、発明者らの実験により、清掃時において被清掃面に接触する前記凸部の面積がクリーニングシート全体面積に対して５〜６０％から得られる特徴よりも、床上のほこり、髪の毛、固形ゴミ、しみ汚れ、付着液体等の除去や、床の保護、つや出し等の手入れに用いられるクリーニングシートは、床上のほこり、髪の毛、固形ゴミ、しみ汚れ、付着液体等との衝突及びその後の流れに機能が左右されることが判明した。
【０００７】
更に、特許文献６では、家庭内または職場内で見られる合成樹脂シートの表面上に、成分及び配合のような物質と組み合わせて使用される拭き取り基材を配設し、その基材に物質を格納するという概念を用いている。特許文献６に掲載の剪断力感応性マイクロポケットは、基材表面内の微細な規模の３次元区画であり、前記基材が前記標的表面に接触している時に前記基材の表面に沿って剪断力が加わると、前記剪断力が前記マイクロポケットの壁面を実質的に変形し、前記物質を前記標的表面に放出させるものである。しかし、基材が複数のマイクロポケットを有していても、特許文献６に掲載の図１９乃至図２７の記載例のように、清掃具の清掃部を手前から奥に往復道させたとき、左右に往復動作させたとき、特定方向に移動させると、床上のほこり、髪の毛、固形ゴミ、しみ汚れ、付着液体等を案内し、清掃具の清掃部の一辺から他の対向辺に直接移動して、異物の確保効率が上がらない。
【０００８】
加えて、特許文献７では、２つのカードウェブ層の間にパルプ繊維層を位置させ、これを目の粗い平織り構造の支持体に載置して高圧水流を噴射し、繊維同士を絡合させるとともに、複数の低集積領域と、厚さが低集積領域の厚さよりも大きい複数の高集積領域とを形成して、キッチン用タオルを得るキッチン用タオルを開示している。
しかし、低集積領域と高集積領域と区別されているものの、現実に低集積領域と高集積領域の最高・最低のピーク値、その境界が明確に分かれているものでないから、如何になるかが明示されるものでなく不明である。また、特に、最高のピーク値、最低のピーク値が特許文献７に掲載する図１の上下に連結されているが、床上のほこり、髪の毛、固形ゴミ、しみ汚れ、付着液体等の異物の上にキッチン用タオルが載っても、異物として確保することができない。
【０００９】
そこで、本発明は、かかる従来の問題点を解消し、床上のほこり、髪の毛、固形ゴミ、しみ汚れ、付着液体等の異物の除去、床の保護、つや出し等の床管理に用いられ、効率の良い異物の確保を行うクリーニングシート及びウエットティッシュ、お手拭き、体拭き、化粧落とし等としても使用できる機能シートの提供を課題とするものである。
【課題を解決するための手段】
【００１０】
請求項１の発明にかかる機能シートは、不織布シートまたは織布シートからなる長方形状の基準シートの対向する２辺に対して直角な仮想基準線を描き、描かれた前記仮想基準線に対して、前記基準シート面に不織布繊維の集合によって−４５度と＋４５度の傾斜で、同一線条太さ、同一線条長さ、同一線条間隔、同一線条数で形成した複数の独立線条群を形成したものである。因みに、本発明の全体は概略四崩し縞（四崩し）を４５度傾かせた全体概念的形状に似ている。
しかも、隣接する前記独立線条群にある前記線条の最下端を結ぶ仮想直線は、隣接する前記独立線条群から最短距離にある前記線条の最上端を結ぶ仮想直線が重なり合う重複位置に形成したものであるから、線条間隔を移動する異物は、前記独立線条群の線条に衝突または案内されるから、清掃部の下部面、即ち、清掃部本体面をストレートに通過することがない。
【００１１】
ここで、上記基準シートは、不織布シートまたは織布シートからなる長方形状のシート（人工的な紙）である。この基準シートは、網状であっても、無地であってもよい。若干のエンボス加工がなされている材料でもよい。
また、上記−４５度と＋４５度の傾斜角度で形成した同一太さ、同一長さの線条は、前記基準シートの対向する長辺に対して直角な仮想基準線を描き、該描かれた前記仮想基準線に対して、前記基準シート面に不織布繊維の集合によって形成したもので、長繊維の不織布繊維が短繊維の不織布繊維に高圧水流で繊維を絡み合わせる処理となるから、基準シートよりも線条の密度が密で、質量的にも大きくなっておればよい。
上記線条（独立線条群）の繊維の密度が密、質量が大とは、当該不織布シートまたは当該織布シートの繊維密度が高く形成でき、毛細管現象により、液体の吸収及び保持能力が大きくすることを意図するものである。
【００１２】
そして、上記複数の独立線条群は、前記基準シートの対抗する２辺（１辺でも可）に対して直角な仮想基準線を表面または裏面に描き、該描かれた前記仮想基準線に対して前記基準シート面に不織布繊維の集合によって−４５度の傾斜で、同一線条長さ、同一線条間隔で形成し、＋４５度の傾斜で、同一線条太さ、同一線条長さ、同一線条間隔で形成した線条群で互いに独立したものである。ここで、前記複数の独立線条群の前記−４５度及び前記＋４５度の線条は、同一線条太さ及び同一線条長さ及び同一線条間隔、同一線条数で形成したものである。これらは、当然、誤差が小さければ問題にならないが、１０〜３０％の誤差を有していても、実施できないものではなく、その実施は可能である。この本実施の形態では、見栄えの良さから特定しているに過ぎないので、誤差の介入を否定するものではない。
【００１３】
更に、隣接する前記独立線条群にある前記線条の最下端を結ぶ仮想直線は、隣接する前記独立線条群から最短距離にある前記線条の最上端を結ぶ仮想直線と重なり合う重複位置に形成したものである。ここで、前記独立線条群にある前記線条の最下端を結ぶ仮想直線と、前記独立線条群から最短距離にある前記線条の最上端を結ぶ仮想直線とが重なり合う重複位置とは、その重なりは最下端を結ぶ仮想直線と最上端を結ぶ仮想直線とが、重なり合う重複幅を有する仮想直線となってもよい。
【発明の効果】
【００１４】
請求項１の発明の機能シートは、不織布シートまたは織布シートからなる長方形状の基準シートの対向する長辺に対して直角な仮想基準線を描き、該描かれた前記仮想基準線に対して前記基準シート面に不織布繊維の集合によって−４５度と＋４５度の傾斜角度が交差しないように形成した線条と、前記−４５度の線条及び前記＋４５度の線条を、同一線条太さ及び同一線条長さ及び同一線条間隔及び同一線条数で形成した複数の独立線条群を形成したものである。
【００１５】
しかも、隣接する前記独立線条群にある前記線条の最下端を結ぶ仮想直線は、隣接する前記独立線条群から最短距離にある前記線条の最上端を結ぶ仮想直線が重なり合う重複位置に形成したから、仮に、線条間隔を移動する異物でも、前記独立線条群の線条に衝突し、反射した異物が次々と前記独立線条群にある前記線条に衝突するから、清掃部の下部面、即ち、清掃部本体面を衝突しないでストレートに通過するという清掃漏れがなくなるばかりか、前記独立線条群にある前記線条によって、床上のほこり、髪の毛、固形ゴミ、しみ汚れ、付着液体等の異物を潜り込ませ、繰り返し保持し、または床の保護、つや出し等の床管理を行うことができる。
【００１６】
したがって、−４５度と＋４５度の傾斜角度で交差しないように形成した線条は、清掃具の清掃部を手前から奥に繰り返し直線往復動させたり、清掃部を左右に振ったりすると、例えば、床上のほこり、髪の毛、固形ゴミ等の異物は、清掃具の清掃部を手前から奥に繰り返し往復させたときの、＋４５度と−４５度の傾斜角度の線条に対して４５度の衝突角度で衝突し、同様に４５度の反射によって隣接する＋４５度と−４５度の傾斜角度の線条に衝突する。このとき、＋４５度と−４５度の傾斜角度を有する線条の反発係数が小さいから、何れかの線条で確保され、この確保に線条の密度、線条の質量が関与する。
また、不織布シートまたは織布シートからなる長方形状の基準シートは、その厚み方向の床面より上に位置し、床上のほこり、髪の毛、固形ゴミの上にあっても、弾性によってそれらを保持し、４５度の反射によって隣接する＋４５度と−４５度の傾斜角度の線条に衝突し、不織布シートまたは織布シートからなる長方形状の基準シートから離れ難くなる。
【００１７】
そして、前記複数の独立線条群は、前記線条からなるものであり、清掃具の清掃部に加えた力が線条の各糸の弾性として現れるから、機能シートの単位面積当たりの押圧力を大きくすることができ、清掃または床の保護、管理に的確に対応することができる。そして、前記独立線条群の線条間隔には、その製造工程により密度の変化が生じるので、何れかの位置に異物を潜り込ませ、それを保持することができる。
【００１８】
更に、前記線条の延びる方向に隣接する独立線条群の両端部は、延長線を描けば９０度の角度で交差する隣接した前記独立線条群の前記線条があり、前記線条間隔の面を異物がストレートに通過することがないから、異物は何れかの位置で機能シートに潜り込み、絡み合っている。そして、清掃具の清掃部に上から下方向の力を加えた場合にも、上下方向の弾性力及び隙間間の弾性力によって異物は機能シートに絡み合うので、異物保持力が向上する。
【００１９】
加えて、前記独立線条群及び前記線条における前記不織布シートまたは前記織布シートは、繊維の密度が密であり、質量が大であるから、当該不織布シートまたは当該織布シートの繊維密度が高く形成できるから、毛細管現象により、液体の吸収及び保持能力が大きくなる。
したがって、床上のほこり、髪の毛、固形ゴミ、しみ汚れ、付着液体等の異物の除去、床の保護、つや出し等の床管理に用いられ、効率の良い異物の確保を行うクリーニングシートに使用でき、また、基準シートと独立線条群とが独自に移動し、ウエットティッシュ、お手拭き、体拭き、化粧落とし等としても機能するから機能シートの提供を課題とするものである。
【図面の簡単な説明】
【００２０】
【図１】図１は従来の清掃用具の要部斜視図である。
【図２】図２は本発明にかかる実施の形態１の機能シートの平面図である。
【図３】図３は本発明にかかる実施の形態１の機能シートの裏面図で、図１の平面図と対称に現れている。
【図４】図４は本発明にかかる実施の形態１の機能シートの部分拡大正面図である。
【図５】図５は本発明にかかる実施の形態１の機能シートの切断線Ａ−Ａによる要部拡大断面図である。
【図６】図６は本発明にかかる実施の形態１の機能シートの切断線Ｂ−Ｂによる要部拡大断面図である。
【図７】図７は本発明にかかる実施の形態１の機能シート製造装置の概略構成図である。
【図８】図８は本発明にかかる実施の形態２の機能シート製造装置の概略構成図である。
【図９】図９は本発明にかかる実施の形態３の機能シートの平面図である。
【図１０】図１０は本発明にかかる実施の形態４の機能シートの平面図である。
【発明を実施するための形態】
【００２１】
以下、本発明の実施の形態について、図面に基づいて説明する。なお、実施の形態において、図示の同一記号及び同一符号は、同一または相当する機能部分であるから、ここではその重複する説明を省略する。
【００２２】
［実施の形態１］
まず、本発明の実施の形態１の機能シートがクリーニングシート１の場合について図を用いて説明する。
従来からの清掃用具１０は、図１及び図２に示すように、床面に並行する長方形状の清掃部１１と、その清掃部１１に回動自在に連結された２軸接続部１２と、その２軸接続部１２に接続されて起倒自在であり、かつ、延長自在な棒状の把手１３とを具備し、更に、清掃用具１０にはクリーニングシート１の４隅または６隅を係止させて保持する４個または６個の係止穴からなるシート保持部１４を有している
回動する２軸接続部１２を接続した清掃部１１は、２軸接続部１２が接続された反対側の清掃部１１の面を清掃部本体面１５としている。
【００２３】
機能シートとしてのクリーニングシート１は、清掃部１１の下面の清掃部本体面１５を覆って、かつ、左右両側の４隅のシート保持部１４に係合させて装着されている。したがって、水に濡らして余剰水を絞った後に、そのまま清掃用として使用できる。即ち、クリーニングシート１は、通常のモップ掛けと同様に、床面等の清掃を行うことができる。
この種の本実施の形態のクリーニングシート１は、基準シート２がパルプ繊維と熱可塑性繊維から形成されているので、清掃時における摩擦抵抗値が低く、軽い力でスムーズに水拭きを行うことができる。
【００２４】
また、長方形状の基準シート２と線条Ｌａ，Ｌｂ，Ｌｃ，Ｌｄ、線条Ｒａ，Ｒｂ，Ｒｃ，Ｒｄとが一体化されており、水で濡らしても、ワックスを含侵させても、それらのクリーニングシート１を強く絞っても繊維が分離することがない。なお、ここで線条Ｌａ，Ｌｂ，Ｌｃ，Ｌｄ、線条Ｒａ，Ｒｂ，Ｒｃ，Ｒｄとは、平面図において長円で形成した直線の線条を意味する。例えば、４隅を面取りしたものもこれに含まれるとする。
ここで、不織布とは、化学繊維、ガラス繊維、金属繊維、天然繊維等を織らずに、化学的或いは物理的方法によって結合する布地のことである。その製造工程が短期間であり、低コストである。なお、基準シート２は長繊維で、線条Ｌａ，Ｌｂ，Ｌｃ，Ｌｄ、線条Ｒａ，Ｒｂ，Ｒｃ，Ｒｄは短繊維を絡み合わせる処理で形成している。
【００２５】
次に、本実施の形態の機能シートとしてのクリーニングシート１について説明する。
この基準シート２は不織布シートまたは織布シートから構成されている。基準シート２は、平面に図示しない複数の丸穴からなる孔部が設けられている。本実施の形態では、不織布シートで基準シート２を構成しており、後の工程での絡み合わせが可能なように特定のシートパターンを用いて鑽孔シートを作成している。複数の孔部は完全な中空孔ではなく、後の工程で短繊維との絡み合わせが可能なように不織布の長繊維によって形成され、所謂、蜘蛛の巣状に薄く形成されている。
また、本発明を実施する場合には、基準シート２はジェットスプレーと協働する図示しない孔部を形成し、絡み合わせ可能な鑽孔シートを形成してもよい。そして、基準シート２を織布とする場合には、複数の丸穴からなる孔部を縦糸と横糸からなる角孔とするのが好適である。
【００２６】
基準シート２は不織布シートまたは織布シートから構成されているが、図示しない孔部の周囲を除き、基準シート２の全般にエンボス加工を施してもよい。即ち、不織布シートからなる基準シート２はエンボス加工により、孔部及びその周囲以外の面を面一としてもよい。または、最終工程で、長繊維の基準シート２に、短繊維の線条Ｌａ，Ｌｂ，Ｌｃ，Ｌｄ、線条Ｒａ，Ｒｂ，Ｒｃ，Ｒｄを固定化するのにエンボス加工を行ってもよい。特に、線条Ｌａ，Ｌｂ，Ｌｃ，Ｌｄ、線条Ｒａ，Ｒｂ，Ｒｃ，Ｒｄの個々の形状を定めるのに好適である。
【００２７】
長方形の基準シート２の対向する長辺２Ａ，２Ｂに対して直角な仮想基準線Ｘ−Ｘを描き、該描かれた仮想基準線Ｘ−Ｘに対して基準シート２面に不織布繊維の集合によってθ＝＋４５度の傾斜角度で形成した線条Ｌａ，Ｌｂ，Ｌｃ，Ｌｄと、θ＝−４５度の傾斜角度で線条Ｒａ，Ｒｂ，Ｒｃ，Ｒｄが互いに交差しないように線条を形成している。
ここで、θ＝＋４５度の傾斜角度の線条Ｌａ，Ｌｂ，Ｌｃ，Ｌｄと、θ＝−４５度の傾斜角度の線条Ｒａ，Ｒｂ，Ｒｃ，Ｒｄが交差しないように形成した線条とは、基準シート２の面に形成した線条Ｌａ，Ｌｂ，Ｌｃ，Ｌｄと線条Ｒａ，Ｒｂ，Ｒｃ，Ｒｄの実際の長さにおいて交差しないものであり、交差する長さを有していないものである。
【００２８】
更に、隣接する同一独立線条群（線条Ｒａ，Ｒｂ，Ｒｃ，Ｒｄからなる独立線条群Ｒ）にある線条Ｒａ，Ｒｂ，Ｒｃ，Ｒｄの最下端を結ぶ仮想直線Ｍ−Ｍは、隣接する同一前記独立線条群から最短距離にある前記線条の最上端を結ぶ仮想直線Ｎ−Ｎが重なり合う重複幅δに形成したものである。図示しないが、独立線条群（線条Ｌａ，Ｌｂ，Ｌｃ，Ｌｄからなる独立線条群Ｌ）も同様。このとき、線条Ｌａ，Ｌｂ，Ｌｃ，Ｌｄ、線条Ｒａ，Ｒｂ，Ｒｃ，Ｒｄの間隔を移動する異物は、独立線条群Ｒ，Ｌの線条Ｌａ，Ｌｂ，Ｌｃ，Ｌｄ、線条Ｒａ，Ｒｂ，Ｒｃ，Ｒｄに繰り返し衝突し、潜り込み、その後、独立線条群Ｒ，Ｌに保持されるから、清掃部本体面１５、即ち、清掃部本体面１５を異物が衝突、反射を経ないでストレートに通過することはない。即ち、長方形の基準シート２の対向する長辺２Ａと長辺２Ｂ、短辺２Ｃと短辺２Ｄを直接異物が抜け出ることがない。
【００２９】
また、同一線条太さ及び同一線条長さ及び同一線条間隔、同一線条数で形成したθ＝＋４５度の線条Ｌａ，Ｌｂ，Ｌｃ，Ｌｄ及びθ＝−４５度の線条Ｒａ，Ｒｂ，Ｒｃ，Ｒｄで形成した複数の独立線条群Ｒ，Ｌは、本実施の形態においては、線条数は４本、線条太さ１ｍｍ及び線条長さ２０ｍｍ、線条間隔２０ｍｍ、線条間隔２．５ｍｍ、独立線条群Ｒ，Ｌの１回の繰り返し距離３６．４ｍｍで線条Ｌａ，Ｌｂ，Ｌｃ，Ｌｄ、線条Ｒａ，Ｒｂ，Ｒｃ，Ｒｄにより独立線条群Ｒ，Ｌを形成している。
特に、線条Ｌａ，Ｌｂ，Ｌｃ，Ｌｄ、線条Ｒａ，Ｒｂ，Ｒｃ，Ｒｄは、異物の通り抜けを防止し、かつ、長繊維と短繊維との絡み合わせにより、線条Ｌａ，Ｌｂ，Ｌｃ，Ｌｄ、線条Ｒａ，Ｒｂ，Ｒｃ，Ｒｄで形成された堤に潜り込ませたり、引っ掛かったりして異物を保持する。
この独立線条群Ｒ，Ｌのサイズは、従来のクリーニングシートの図形に比較して、３〜１０倍の大きさの寸法になるが、独立線条群Ｒ，Ｌは、個々に従来の図形程度のしなやかさを維持でき、ウエットティッシュ、お手拭き、体拭き、化粧落とし等としても使用できることが確認された。
【００３０】
次に、図２乃至図７を用いて、本実施の形態のクリーニングシート１の製造について説明する。
図７において、基準シート２は外部から供給されている。搬送ローラ及び搬送ローラからなるワイヤネットコンベア等のコンベア２１は、基準シート２を図面の左から右に搬送自在になっている。スパンレース処理部２３は基準シート２に短繊維の集合体を絡み合わせるスパンレースノズル（不織布用ノズル）３１が配設され、本実施の形態では、加工性の良さ、用途に応じた設計変更が容易なことから、クリーニングシート１の製造には高圧水流で繊維を絡み合わせるスパンレース法を用いている。スパンレース処理部２３の入口には、他に、空気の流れを整流する図示しないバッフル板及び空気ノズル２４が配設されている。
【００３１】
収集タンク２５は、線条Ｌａ，Ｌｂ，Ｌｃ，Ｌｄまたは線条Ｒａ，Ｒｂ，Ｒｃ，Ｒｄに使用しなかった余剰短繊維の入った余剰液体を集める容器で、収集タンク２５で収集された短繊維の入った液体は、それを攪拌すると共に、埃等の異物の混入を除去し、目的物の短繊維のみ通過させる攪拌濾過機２６に供給される。攪拌濾過機２６で、必要量の短繊維及び液体が混合され供給される。
流体を循環させる独立して配設したポンプ２７Ａとポンプ２７Ｂによって短繊維及び液体からなる流体を供給する。流体を供給するために所定の圧力を生成したポンプ２７Ａとポンプ２７Ｂによって管路２８と管路２９を通過し、マニホルド３０またはマニホルド４７に短繊維を攪拌させた流体を送給する。
【００３２】
マニホルド３０には、コンベア２１の長さ方向（進行方向）に対して−４５度の角度及び＋４５度の角度で複数のスパンレースノズル３１が配設されている。即ち、スパンレース処理部２３のコンベア２１の進行方向に対してスパンレースノズル３１が−４５度（コンベア２１の進行方向を軸とすると、左に４５度の角度傾いた移置）となっている。
即ち、コンベア２１の中央仮想線Ｘ−Ｘに対して、進行方向に−４５度（左に４５度の角度傾いた移置）と進行方向に＋４５度（右に４５度の角度傾いた移置）に複数個配列したスパンレースノズル３１を配設している。したがって、複数個配列したスパンレースノズル３１からは各々ジェットスプレー３１ａが噴射される。これにより、基準シート２の特定の面、例えば、表面等に線条Ｌａ，Ｌｂ，Ｌｃ，Ｌｄ、線条Ｒａ，Ｒｂ，Ｒｃ，Ｒｄが形成される。
【００３３】
このとき、圧力レギュレータ３２はマニホルド３０の管路２８に配置され、スパンレースノズル３１の圧力を調整し、基準シート２との間の高圧水流で繊維を絡み合わせるスパンレース法のエネルギーを調整し、高圧水流で基準シート２に繊維を絡み合わせる処理を行う。これにより、基準シート２に対する線条Ｌａ，Ｌｂ，Ｌｃ，Ｌｄ、線条Ｒａ，Ｒｂ，Ｒｃ，Ｒｄの位置、断面形状が特定される。
即ち、基準シート２は平面に複数の丸穴からなる孔部が設けられ、図３に示す例では、複数個の孔部によって線条Ｌａ，Ｌｂ，Ｌｃ，Ｌｄ、線条Ｒａ，Ｒｂ，Ｒｃ，Ｒｄを形成している。
【００３４】
本実施の形態のように、基準シート２は設けられた複数個の孔部を使用しているのは、線条Ｌａ，Ｌｂ，Ｌｃ，Ｌｄ、線条Ｒａ，Ｒｂ，Ｒｃ，Ｒｄの１本が堅固に基準シート２に絡み合わせ、かつ、最終工程でエンボス加工を行うと、基準シート２と線条Ｌａ，Ｌｂ，Ｌｃ，Ｌｄ、線条Ｒａ，Ｒｂ，Ｒｃ，Ｒｄの一体化が強くなる。また、複数個の孔部は３個乃至５個としてもよいし、孔部を設けないで、長円形状の線条Ｌａ，Ｌｂ，Ｌｃ，Ｌｄ、線条Ｒａ，Ｒｂ，Ｒｃ，Ｒｄを最初から形成してもよい。
発明者らの実験によれば、基準シート２は設けられた孔部の数と、長円形状の線条Ｌａ，Ｌｂ，Ｌｃ，Ｌｄ、線条Ｒａ，Ｒｂ，Ｒｃ，Ｒｄを最初から形成した場合とでは、大きな機械的強度の差は得られなかったが、両面に５個の孔部を設けたものは機械的に基準シート２と線条Ｌａ，Ｌｂ，Ｌｃ，Ｌｄ、線条Ｒａ，Ｒｂ，Ｒｃ，Ｒｄの分離がし難くなっていた。
【００３５】
このとき、基準シート２の線条Ｌａ，Ｌｂ，Ｌｃ，Ｌｄ、線条Ｒａ，Ｒｂ，Ｒｃ，Ｒｄの位置は、図示しないセンサによってスパンレースノズル３１からジェットスプレー３１ａが噴射されるタイミングを得るべく、噴射制御している。本実施の形態では、スパンレースノズル３１からのジェットスプレー３１ａの制御を行っているが、コンベア２１を繰り返し微動移動させるか、ステッピング動作により移動または停止動作を行ってもよい。
【００３６】
また、絞りローラ３４は、スパンレースノズル３１が配設されたスパンレース処理部２３の出口に配設され、基準シート２及び基準シート２の一方の面に配設した線条Ｌａ，Ｌｂ，Ｌｃ，Ｌｄ及び線条Ｒａ，Ｒｂ，Ｒｃ，Ｒｄに含まれている水分を絞るもので、基準シート２及びその基準シート２の上面に配設した線条Ｌａ，Ｌｂ，Ｌｃ，Ｌｄ及び線条Ｒａ，Ｒｂ，Ｒｃ，Ｒｄに含まれている水分を絞るものである。
コンベア２１は基準シート２をその終端まで搬送するが、その間に内部が減圧されている大径プーリ４０の外表面に吸引され、大径プーリ４０に沿って回動し、反対面に線条Ｌａ，Ｌｂ，Ｌｃ，Ｌｄ及び線条Ｒａ，Ｒｂ，Ｒｃ，Ｒｄを形成するコンベア４１に受け渡すことができる。
【００３７】
コンベア２１に載置した基準シート２は、線条Ｌａ，Ｌｂ，Ｌｃ，Ｌｄ及び線条Ｒａ，Ｒｂ，Ｒｃ，Ｒｄがスパンレース処理部２３で形成されているから、残りの面の線条Ｌａ，Ｌｂ，Ｌｃ，Ｌｄまたは線条Ｒａ，Ｒｂ，Ｒｃ，Ｒｄをスパンレース処理部４３で形成することになる。
スパンレース処理部４３にも、図示しないセンサによってスパンレースノズル４４からジェットスプレー４４ａが噴射されるタイミングを得て噴射制御している。本実施の形態では、スパンレースノズル４４からのジェットスプレー４４ａの制御を行っているが、コンベア４１を繰り返し微動移動させ、また、停止動作を行ってもよい。
【００３８】
圧力レギュレータ４５はマニホルド４７の管路２９に配置され、スパンレースノズル４４の圧力を調整し、基準シート２との間の高圧水流で繊維を絡み合わせるスパンレース法のエネルギーを調整し、高圧水流で基準シート２に繊維を絡み合わせる処理の程度を調整する。これにより、基準シート２に対する線条Ｌａ，Ｌｂ，Ｌｃ，Ｌｄ及び線条Ｒａ，Ｒｂ，Ｒｃ，Ｒｄの位置、断面形状が特定される。
即ち、基準シート２は平面に複数の丸穴からなる孔部が設けられ、図２に示す例では、複数個の孔部で相手材に絡み合わせ、全体として、線条Ｌａ，Ｌｂ，Ｌｃ，Ｌｄか、線条Ｒａ，Ｒｂ，Ｒｃ，Ｒｄの１本の長円が形成されている。
また、絞りローラ４６は、スパンレースノズル４４が配設されたスパンレース処理部４３の出口に配設され、基準シート２及び基準シート２に配設した線条Ｌａ，Ｌｂ，Ｌｃ，Ｌｄ及び線条Ｒａ，Ｒｂ，Ｒｃ，Ｒｄに含まれている水分を絞るものである。空気の流れを整流する図示しないバッフル板及び空気ノズル４２が配設されている。
【００３９】
これによって、基準シート２は大径プーリ４０でＵターンし、基準シート２の反対面の線条Ｌａ，Ｌｂ，Ｌｃ，Ｌｄ及び線条Ｒａ，Ｒｂ，Ｒｃ，Ｒｄの形成に入る。基本的には、大径プーリ４０で基準シート２の面を反転しているから、基準シート２の線条Ｌａ，Ｌｂ，Ｌｃ，Ｌｄ、線条Ｒａ，Ｒｂ，Ｒｃ，Ｒｄを先に絡み合わせ、反対面の形成はその後になる。
この場合、コンベア４１の中央仮想線に対して、θ＝＋４５度（右に４５度の角度傾いた移置）及びθ＝−４５度（左に４５度の角度傾いた移置）に複数個配列したスパンレースノズル４４を配設している。したがって、複数個配列したスパンレースノズル４４からはジェットスプレー４４ａが噴射される。
圧力レギュレータ４５はマニホルド４７の管路２９に配置され、スパンレースノズル４４の圧力を調整し、基準シート２との間の高圧水流で繊維を絡み合わせるスパンレース法のエネルギーをコンベア２１のスパンレース処理部２３とコンベア４１のスパンレース処理部４３を独立して調整している。
【００４０】
したがって、基準シート２は外部からスパンレース処理部２３に導入されると、スパンレースノズル３１からはジェットスプレー３１ａが噴射され、コンベア２１の間のスパンレース処理部２３で基準シート２に短繊維の不織布繊維との間の高圧水流で基準シート２に繊維を絡み合わせる処理となる。即ち、基準シート２の線条Ｌａ，Ｌｂ，Ｌｃ，Ｌｄ及び線条Ｒａ，Ｒｂ，Ｒｃ，Ｒｄを絡み合わせる。次いで、スパンレースノズル４４からはジェットスプレー４４ａが噴射され、コンベア４１の間のスパンレース処理部４３で基準シート２に短繊維の不織布繊維との間の高圧水流で基準シート２に繊維を絡み合わせ基準シート２の線条Ｒａ，Ｒｂ，Ｒｃ，Ｒｄ及び線条Ｌａ，Ｌｂ，Ｌｃ，Ｌｄを絡み合わせる処理となる。
【００４１】
このように形成された本実施の形態の機能シートとしてのクリーニングシート１は、不織布シートまたは織布シートからなる長方形状の基準シート２の対向する長辺２Ａ，２Ｂに対して直角である仮想基準線Ｘ−Ｘを表面に描き、その描かれた仮想基準線Ｘ−Ｘに対して基準シート２に不織布繊維の集合によってθ＝−４５度とθ＝＋４５度の傾斜角度が交差しないように形成した線条Ｌａ，Ｌｂ，Ｌｃ，Ｌｄ及び線条Ｒａ，Ｒｂ，Ｒｃ，Ｒｄと、前記＋４５度の線条Ｌａ，Ｌｂ，Ｌｃ，Ｌｄ及び前記−４５度の線条Ｒａ，Ｒｂ，Ｒｃ，Ｒｄを、同一線条太さ及び同一線条長さ及び同一線条間隔及び同一線条数で形成した複数の独立線条群Ｒ，Ｌを形成したものである。
【００４２】
更に、隣接する同一の独立線条群Ｒ，Ｌにある線条Ｌａ，Ｌｂ，Ｌｃ，Ｌｄと線条Ｒａ，Ｒｂ，Ｒｃ，Ｒｄの最下端を結ぶ仮想直線Ｍ−Ｍは、隣接する同一の独立線条群から最短距離にある線条Ｌａ，Ｌｂ，Ｌｃ，Ｌｄ及び線条Ｒａ，Ｒｂ，Ｒｃ，Ｒｄの最上端を結ぶ仮想直線Ｎ−Ｎと重なり合う重複幅δに形成したものである。ここで、独立線条群Ｒ，Ｌにある線条Ｌａ，Ｌｂ，Ｌｃ，Ｌｄまたは線条Ｒａ，Ｒｂ，Ｒｃ，Ｒｄの最下端を結ぶ仮想直線Ｍ−Ｍと、独立線条群Ｒ，Ｌから最短距離にある線条Ｌａ，Ｌｂ，Ｌｃ，Ｌｄと線条Ｒａ，Ｒｂ，Ｒｃ，Ｒｄの最上端を結ぶ仮想直線Ｎ−Ｎが重なり合う重複幅δとは、その重なりは最下端を結ぶ仮想直線Ｍ−Ｍと最上端を結ぶ仮想直線Ｎ−Ｎとが単一の仮想直線（重複幅δ＝０）となってもよいし、重複幅δを持ってもよい。
【００４３】
しかも、隣接する同一の独立線条群Ｒ，Ｌにある線条Ｌａ，Ｌｂ，Ｌｃ，Ｌｄと線条Ｒａ，Ｒｂ，Ｒｃ，Ｒｄの最下端を結ぶ仮想直線Ｍ−Ｍは、隣接する同一独立線条群Ｒ，Ｌから最短距離にある線条Ｌａ，Ｌｂ，Ｌｃ，Ｌｄと線条Ｒａ，Ｒｂ，Ｒｃ，Ｒｄの最上端を結ぶ仮想直線Ｎ−Ｎが重なり合う重複幅δに形成しているから、仮に、線条Ｌａ，Ｌｂ，Ｌｃ，Ｌｄと線条Ｒａ，Ｒｂ，Ｒｃ，Ｒｄの間隔（上部は基準シート２の一部）を移動する異物でも、独立線条群Ｒ，Ｌの線条Ｌａ，Ｌｂ，Ｌｃ，Ｌｄ及び線条Ｒａ，Ｒｂ，Ｒｃ，Ｒｄに衝突し、次々と反射及び衝突するから、清掃部本体面１５をストレートに通過し、清掃漏れがなくなる。即ち、重複幅δにより、基準シート２の対向する長辺２Ａと長辺２Ｂの間、短辺２Ｃと短辺２Ｄの間を直接異物が通り抜けるものはない。
【００４４】
したがって、−４５度と＋４５度の傾斜角度で交差しないように形成した線条Ｌａ，Ｌｂ，Ｌｃ，Ｌｄ、線条Ｒａ，Ｒｂ，Ｒｃ，Ｒｄは、清掃具２０の清掃部本体面１５を手前から奥に繰り返し直線往復道させたり、清掃部本体面１５を直線上を左右に振ったりすると、例えば、床上のほこり、髪の毛、固形ゴミ等の異物は、清掃具２０の清掃部本体面１５を手前から奥に繰り返し往復させたときの、θ＝＋４５度とθ＝−４５度の傾斜角度の線条Ｌａ，Ｌｂ，Ｌｃ，Ｌｄ、線条Ｒａ，Ｒｂ，Ｒｃ，Ｒｄに対して４５度の衝突角度で衝突し、同様に４５度の反射によって隣接する＋４５度と−４５度の傾斜角度の線条に衝突する。このとき、重複幅δ＝＋４５度と重複幅δ＝−４５度の傾斜角度を有する線条Ｌａ，Ｌｂ，Ｌｃ，Ｌｄ、線条Ｒａ，Ｒｂ，Ｒｃ，Ｒｄの反発係数が小さく、個々の不織布繊維により保持されるから、何れかの線条Ｌａ，Ｌｂ，Ｌｃ，Ｌｄ、線条Ｒａ，Ｒｂ，Ｒｃ，Ｒｄで異物が確保される。また、不織布シートまたは織布シートからなる長方形状の基準シートは、その厚み方向の中間に位置し、床上のほこり、髪の毛、固形ゴミの上にあっても、弾性によってそれらを保持し、４５度の反射によって隣接する＋４５度と−４５度の傾斜角度の線条Ｌａ，Ｌｂ，Ｌｃ，Ｌｄ、線条Ｒａ，Ｒｂ，Ｒｃ，Ｒｄに衝突し、不織布シートまたは織布シートからなる長方形状の基準シート２から離れ難くなる。
【００４５】
また、線条Ｌａ，Ｌｂ，Ｌｃ，Ｌｄ、線条Ｒａ，Ｒｂ，Ｒｃ，Ｒｄの延びる方向に隣接する独立線条群Ｒ，Ｌの両端部は、延長線を描けば９０度の角度で交差する隣接した独立線条群Ｒ，Ｌの線条Ｌａ，Ｌｂ，Ｌｃ，Ｌｄ、線条Ｒａ，Ｒｂ，Ｒｃ，Ｒｄがあり、清掃部本体面１５の面を異物がストレートに通過することがないから、異物は何れかの位置でクリーニングシート１に潜り込み、絡み合っている。そして、清掃用具１０の清掃部本体面１５に下方向の力を加えた場合にも、上下方向の弾性力及び隙間間の弾性力によって異物はクリーニングシート１に潜り込み、絡み合う。
【００４６】
本実施の形態のクリーニングシート１の複数の独立線条群Ｒ，Ｌは、基準シート２を透過させたとき、表裏の独立線条群Ｒ，Ｌが同一位置に重なるものであるから、クリーニングシート１の複数の独立線条群Ｒ，Ｌに対して外力が加わっても、線条Ｌａ，Ｌｂ，Ｌｃ，Ｌｄと線条Ｒａ，Ｒｂ，Ｒｃ，Ｒｄの厚みの約１／２の位置に基準シート２の位置があり、しかも、弾性を有することから、複数の独立線条群Ｒ，Ｌで囲まれた空間及び線条Ｌａ，Ｌｂ，Ｌｃ，Ｌｄと線条Ｒａ，Ｒｂ，Ｒｃ，Ｒｄは、異物の格納エリアとして作用する。また、４５度の反射によって隣接する重複幅δ＝＋４５度と重複幅δ＝−４５度の傾斜角度の線条に衝突し、不織布シートまたは織布シートからなる長方形状の基準シート２から離れ難くなる。
【００４７】
発明者らは基準シート２の表裏に線条Ｌａ，Ｌｂ，Ｌｃ，Ｌｄの厚みまたは線条Ｒａ，Ｒｂ，Ｒｃ，Ｒｄの厚みの中間位置に基準シート２の位置、線条間隔が定まり、それが功を奏し、基準シート２または線条Ｌａ，Ｌｂ，Ｌｃ，Ｌｄ、線条Ｒａ，Ｒｂ，Ｒｃ，Ｒｄで囲まれた線条間隔に異物が潜り込み、不織布の糸の弾性力が作用し、その異物が弾性的に保持していると判断した。
しかし、例えば、本実施の形態の機能シートとしてのクリーニングシート１の製造装置において、コンベア２１のみを生かしたスパンレース処理部２３で、基準シート２に短繊維の不織布繊維との間の高圧水流で基準シート２に繊維を絡み合わせ、基準シート２の表面のみ（片面のみ）に線条Ｌａ，Ｌｂ，Ｌｃ，Ｌｄの厚み及び線条Ｒａ，Ｒｂ，Ｒｃ，Ｒｄの厚みを形成したクリーニングシート１を試験的に製造した。
【００４８】
ここで、基準シート２の表面のみ線条Ｌａ，Ｌｂ，Ｌｃ，Ｌｄ及び線条Ｒａ，Ｒｂ，Ｒｃ，Ｒｄを形成したものと、基準シート２の表面及び裏面に線条Ｌａ，Ｌｂ，Ｌｃ，Ｌｄ及び線条Ｒａ，Ｒｂ，Ｒｃ，Ｒｄを形成したものとを比較した。結果的に、両者間に大きな差異は生じなかった。独立線条群Ｒ及び独立線条群Ｌを約２０ｍｍ×３７ｍｍの形状で実験を行い、約１０ｍｍ×２０ｍｍ〜約２０ｍｍ×４０ｍｍの寸法では、クリーニングシート１の性状の変化は見られなかった。
即ち、線条Ｌａ，Ｌｂ，Ｌｃ，Ｌｄ、線条Ｒａ，Ｒｂ，Ｒｃ，Ｒｄは、スパンレース法で処理を行うとき、線条Ｌａ，Ｌｂ，Ｌｃ，Ｌｄ及び線条Ｒａ，Ｒｂ，Ｒｃ，Ｒｄの密度が高くなり、その質量も増加する。したがって、線条Ｌａ，Ｌｂ，Ｌｃ，Ｌｄ及び線条Ｒａ，Ｒｂ，Ｒｃ，Ｒｄが、言い換えれば、それが橋桁となり、その間の線条間隔で保持するものであるから、何れかの線条Ｌａ，Ｌｂ，Ｌｃ，Ｌｄ、線条Ｒａ，Ｒｂ，Ｒｃ，Ｒｄで異物が衝突すれば、線条Ｌａ，Ｌｂ，Ｌｃ，Ｌｄ、線条Ｒａ，Ｒｂ，Ｒｃ，Ｒｄに潜り込み、確保されるという結果がでた。
【００４９】
簡単に説明すると、線条Ｌａ，Ｌｂ，Ｌｃ，Ｌｄ、線条Ｒａ，Ｒｂ，Ｒｃ，Ｒｄは、基準シート２よりも密度が高く、その質量も増加するから、線条Ｌａ，Ｌｂ，Ｌｃ，Ｌｄ、線条Ｒａ，Ｒｂ，Ｒｃ，Ｒｄは外力を加えても、変化量が少ない。基準シート２は線条Ｌａ，Ｌｂ，Ｌｃ，Ｌｄ、線条Ｒａ，Ｒｂ，Ｒｃ，Ｒｄよりも密度が低く、その質量も少ないから、線条Ｌａ，Ｌｂ，Ｌｃ，Ｌｄと線条Ｒａ，Ｒｂ，Ｒｃ，Ｒｄの変化に追随する。しかし、その基準シート２の密度変化、質量変化は少ないから、基準シート２に異物等の集塵機能を持つ。したがって、線条Ｌａ，Ｌｂ，Ｌｃ，Ｌｄ、線条Ｒａ，Ｒｂ，Ｒｃ，Ｒｄに異物が衝突すれば、或いは誘導されれば、そこに異物が潜り込み、確保されると推定される。
【００５０】
即ち、不織布シートまたは織布シートからなる長方形状の基準シート２は、その厚み方向に位置し、床上のほこり、髪の毛、固形ゴミの上にあっても、弾性によってそれらを保持し、４５度の反射によって隣接するθ＝＋４５度とθ＝−４５度の傾斜角度の線条Ｌａ，Ｌｂ，Ｌｃ，Ｌｄ、線条Ｒａ，Ｒｂ，Ｒｃ，Ｒｄに衝突し、不織布シートまたは織布シートからなる長方形状の基準シート２から離れ難くなり、通常は、線条Ｌａ，Ｌｂ，Ｌｃ，Ｌｄ、線条Ｒａ，Ｒｂ，Ｒｃ，Ｒｄ内に収容され、異物保持特性は維持される。
これにより、基準シート２を線条Ｌａ，Ｌｂ，Ｌｃ，Ｌｄと線条Ｒａ，Ｒｂ，Ｒｃ，Ｒｄで１／２の高さに持ち上げなくても、線条Ｌａ，Ｌｂ，Ｌｃ，Ｌｄと線条Ｒａ，Ｒｂ，Ｒｃ，Ｒｄが芯となり、基準シート２が若干浮き上がり、異物の移動路が線条間隔で形成されることが確認された。
【００５１】
したがって、基準シート２の両面に線条Ｌａ，Ｌｂ，Ｌｃ，Ｌｄと線条Ｒａ，Ｒｂ，Ｒｃ，Ｒｄを形成しなくとも、片面のみに形成すればよいことが判明した。
また、上記実施の形態では、基準シート２に複数個の孔部を設けたものに、線条Ｌａ，Ｌｂ，Ｌｃ，Ｌｄと線条Ｒａ，Ｒｂ，Ｒｃ，Ｒｄに短繊維を平面的に絡み合わせる処理について説明したが、基準シート２に無地の１〜４ｍｍの厚みの不織布シート（マット）を使用してクリーニングシート１を製造した。
【００５２】
［実施の形態２］
図８の概略構成図に示す機能シートとしての他のクリーニングシート製造装置を用いて、その製造を説明する。
基準シート２は、端部の写真撮影で算出した２ｍｍの厚みの不織布とした。なお、後日の実験によって、本発明を実施する場合には、不織布は織布でもよいことが確認された。
本実施の形態のクリーニングシート１のステンレス板で形成したマスクドラム７０は、図２に示した線条Ｌａ，Ｌｂ，Ｌｃ，Ｌｄ、線条Ｒａ，Ｒｂ，Ｒｃ，Ｒｄの図形が環状に形成した貫通孔として形成されており、線条Ｌａ，Ｌｂ，Ｌｃ，Ｌｄ、線条Ｒａ，Ｒｂ，Ｒｃ，Ｒｄを形成するマスクである。
そのマスクドラム７０の周囲には、均質の基準シート８０（基準シート２）がマスクドラム７０の周囲に沿って回転するように、ガイド筒体８１及びガイド筒体８２により、図８の左から右へ搬送している。マスクドラム７０の周囲には、ガイド筒体８１及びガイド筒体８２により、２００〜２７０度の角度範囲で基準シート８０がマスクドラム７０の外周と等速に回動するようになっている。
【００５３】
マスクドラム７０は端部が閉じていて、そこに管路６１に接続されたマニホルド６２を配設している。管路６１及び図示しないマニホルド６２の管内圧力は、図示しない圧力レギュレータによってスパンレースノズル６３の圧力を調整し、基準シート８０との間の高圧水流で繊維を絡み合わせるスパンレース法のエネルギーを調整し、高圧水流で基準シート８０に繊維を絡み合わせる処理をしている。これにより、基準シート８０に対する線条Ｌａ，Ｌｂ，Ｌｃ，Ｌｄ、線条Ｒａ，Ｒｂ，Ｒｃ，Ｒｄの位置、断面形状が特定される。
マスクドラム７０の下方には、高圧水流で基準シート８０に短繊維を絡み合わせた後の、余剰液を収集する収集タンク７３が配設されている。収集タンク７３には、攪拌濾過機７４が接続されていて、必要量の短繊維及び液体が混合され、流体を循環させるポンプ７６によってその短繊維及び液体からなる流体が供給される。
【００５４】
所定の圧力を生成するポンプ７６によって、管路６１を通過し、マニホルド６２に必要量の短繊維及び液体が供給される。このスパンレースノズル６３からはジェットスプレー６３ａが常時噴射され、所定の角度範囲内がマスクドラム７０の貫通孔を通過した短繊維によって線条Ｌａ，Ｌｂ，Ｌｃ，Ｌｄ、線条Ｒａ，Ｒｂ，Ｒｃ，Ｒｄが形成される。このとき、ジェットスプレー６３ａからの噴射により、線条Ｒａ，Ｒｂ，Ｒｃ，Ｒｄ及び線条Ｌａ，Ｌｂ，Ｌｃ，Ｌｄの位置は密度が高くなり、その質量も増加し、比較的弾性の高い塊となる。結果として、独立線条群Ｒ，Ｌ及び線条Ｒａ，Ｒｂ，Ｒｃ，Ｒｄ及び線条Ｌａ，Ｌｂ，Ｌｃ，Ｌｄにおける不織布シートまたは織布シートは、繊維の密度が密であり、質量が大であるから、当該不織布シートまたは当該織布シートの繊維密度が高く形成できるから、毛細管現象により、液体の吸収及び保持能力が大きくなる。
【００５５】
したがって、マスクドラム７０には、線条Ｌａ，Ｌｂ，Ｌｃ，Ｌｄ、線条Ｒａ，Ｒｂ，Ｒｃ，Ｒｄを形成する貫通孔が形成されているから、常時、スパンレースノズル６３からジェットスプレー６３ａが噴射され、マスクドラム７０内のスパンレース処理部７５で基準シート８０に短繊維の不織布繊維との間の高圧水流で基準シート８０に繊維を絡み合わせ基準シート８０の線条Ｒａ，Ｒｂ，Ｒｃ，Ｒｄまたは線条Ｌａ，Ｌｂ，Ｌｃ，Ｌｄを絡み合わせる。
図２に示した図形が環状のマスクドラム７０に貫通孔として描かれており、そのマスクドラム７０の周囲を基準シート８０がマスクドラム７０の周囲に沿ってマスクドラム７０と等速に回転するように、ガイド筒体８１及びガイド筒体８２により等速運動している。即ち、マスクドラム７０の周囲には、ガイド筒体８１及びガイド筒体８２により基準シート８０がマスクドラム７０の外周と等速になっているから、形状が基準シート８０に転写される。
【００５６】
よって、マスクドラム７０の貫通孔を通してスパンレースノズル６３からジェットスプレー６３ａが噴射され、短繊維からなる不織布繊維との間の高圧水流で基準シート８０に繊維が絡み合うから線条Ｒａ，Ｒｂ，Ｒｃ，Ｒｄまたは線条Ｌａ，Ｌｂ，Ｌｃ，Ｌｄの位置のみの密度が高くなり、その質量も増加する。このとき、線条Ｒａ，Ｒｂ，Ｒｃ，Ｒｄまたは線条Ｌａ，Ｌｂ，Ｌｃ，Ｌｄは塊となり、その間は、マスクドラム７０からの剥離により、基準シート８０の床側には密度の低い、質量の少ない異物通路が線条間隔によって形成される。
この実施の形態の機能シートとしてのクリーニングシート１についても、片側から高圧水流で基準シート８０に短繊維が絡み合うようにして線条Ｒａ，Ｒｂ，Ｒｃ，Ｒｄ及び線条Ｌａ，Ｌｂ，Ｌｃ，Ｌｄを形成している。加えて、独立線条群Ｒ，Ｌ及び線条Ｒａ，Ｒｂ，Ｒｃ，Ｒｄ及び線条Ｌａ，Ｌｂ，Ｌｃ，Ｌｄにおける前記不織布シートまたは前記織布シートは、繊維の密度が密であり、質量が大であるから、当該不織布シートまたは当該織布シートの繊維密度が高く形成できるから、毛細管現象により、液体の吸収及び保持能力が大きくなる。
【００５７】
但し、隣接する同一の独立線条群Ｒ，Ｌにある線条Ｒａ，Ｒｂ，Ｒｃ，Ｒｄまたは線条Ｌａ，Ｌｂ，Ｌｃ，Ｌｄの最下端を結ぶ仮想直線Ｍ−Ｍは、隣接する同一の独立線条群Ｎ−Ｎから最短距離にある線条Ｒａ，Ｒｂ，Ｒｃ，Ｒｄまたは線条Ｌａ，Ｌｂ，Ｌｃ，Ｌｄの最上端を結ぶ仮想直線Ｎ−Ｎが重なり合う重複幅δに形成したものである。
よって、基準シート８０を線条Ｌａ，Ｌｂ，Ｌｃ，Ｌｄと線条Ｒａ，Ｒｂ，Ｒｃ，Ｒｄで約１／２の高さに持ち上げなくても、線条Ｌａ，Ｌｂ，Ｌｃ，Ｌｄと線条Ｒａ，Ｒｂ，Ｒｃ，Ｒｄが芯となり、基準シート８０の線条間隔が浮き上がり、床上のほこり、髪の毛、固形ゴミ、しみ汚れ、付着液体等の異物を潜り込ませ、繰り返し保持し、または床の保護、つや出し等の床管理を行うことが確認された。
また、上記実施の形態では、基準シート２に複数個の孔部を設けたものに、線条Ｌａ，Ｌｂ，Ｌｃ，Ｌｄと線条Ｒａ，Ｒｂ，Ｒｃ，Ｒｄに短繊維を平面的に絡み合わせる処理について説明したが、この実験により、無地の１〜３ｍｍの厚みの基準シート８０に不織布シート（マット）を使用しても、期待する特性が確保できることが確認された。
【００５８】
上記実施の形態の機能シートとしてのクリーニングシート１は、更に、清掃用具１０の清掃部本体面１５の長辺に前記基準シート２，８０の長辺２Ａ，２Ｂを、清掃用具１０の清掃部本体面１５の短辺に基準シート２，８０の短辺２Ｃ，２Ｄを対応付けて取付けたものであるから、清掃用具１０の清掃部本体面１５に基準シート２，８０の長辺２Ａ，２Ｂを取付けるものであり、清掃用具１０の清掃部本体面１５への取付けを間違いなく行うことができる。
【００５９】
ここで、上記実施の形態にかかる機能シートとしてのクリーニングシート１は、不織布シートまたは織布シートからなる長方形状の基準シート２，８０の対向する２辺２Ａ，２Ｂに対して直角な仮想基準線Ｘ−Ｘを描き、描かれた仮想基準線Ｘ−Ｘに対して、基準シート２，８０に不織布繊維の集合によって−４５度と＋４５度の傾斜で、同一線条太さ、同一線条長さ、同一線条間隔、同一線条数で形成した複数の独立線条群Ｒ，Ｌを形成したものである。因みに、本発明の全体は概略四崩し縞（四崩し）を４５度傾かせたかの如く全体概念的形状を呈している。
また、上記−４５度と＋４５度の傾斜角度で形成した線条Ｌａ，Ｌｂ，Ｌｃ，Ｌｄまたは線条Ｒａ，Ｒｂ，Ｒｃ，Ｒｄは、基準シート２，８０の対向する長辺２Ａ，２Ｂに対して直角な仮想基準線Ｘ−Ｘを設定し、該設定された前記仮想基準線Ｘ−Ｘに対して基準シート２，８０の両面に不織布繊維の集合によって形成したものである。
【００６０】
そして、上記複数の独立線条群Ｒ，Ｌは、基準シート２，８０の対抗する２辺（１辺でも可）に対して直角な仮想基準線Ｘ−Ｘを設定し、該設定された仮想基準線Ｘ−Ｘに対して基準シート２，８０に不織布繊維の集合によって−４５度の傾斜で、＋４５度の傾斜で、同一線条太さ、同一線条長さ、同一線条間隔で形成した線条Ｌａ，Ｌｂ，Ｌｃ，Ｌｄ、線条Ｒａ，Ｒｂ，Ｒｃ，Ｒｄで互いに独立したものである。
【００６１】
上記実施の形態にかかる機能シートとしてのクリーニングシート１の複数の独立線条群Ｒ，Ｌは、基準シート２，８０を透過させたとき、表裏の線条群がシルエットラインが同一位置に重なるものである。
ここで、上記複数の独立線条群Ｒ，Ｌは、基準シート２，８０を透過させたとき、表裏の線条群が同一位置（表裏同一）に重なるものであるから、基準シート２，８０は表裏の線条群によって浮上させられ、線条間隔で異物を収集するのに好適となる。
【００６２】
上記実施の形態にかかる機能シートとしてのクリーニングシート１は、更に、清掃具１０の清掃部本体面１５の長辺に基準シート２，８０の長辺２Ａ，２Ｂを、清掃具１０の清掃部本体面１５の短辺に基準シート２の短辺２Ｃ，２Ｄを対応付けて取付けたものである。
ここで、上記清掃具１０の清掃部本体面１５は、その長辺に基準シート２の長辺２Ａ，２Ｂを、その短辺に基準シート２の短辺２Ｃ，２Ｄを対応付けて取付けて清掃具１０としたものであるが、作業者は何も考えないで取付けることができる。
【００６３】
上記実施の形態にかかる機能シートとしてのクリーニングシート１は、線条Ｌａ，Ｌｂ，Ｌｃ，Ｌｄと線条Ｒａ，Ｒｂ，Ｒｃ，Ｒｄの−４５度と＋４５度の傾度は、互いに±１５度の傾度の範囲内としたものである。即ち、線条Ｌａ，Ｌｂ，Ｌｃ，Ｌｄと線条Ｒａ，Ｒｂ，Ｒｃ，Ｒｄの−４５度と＋４５度の傾度は、４５度の傾度に意味があるが、互いに±１５度の傾度の範囲内であれば、特性が維持されることが確認された。
【００６４】
［実施の形態３］
更に、図９は基本的に本実施の形態の機能シートは『崩し縞』からみれば、図９の実施の形態３のクリーニングシートの『三崩し縞』の平面図、図１０に示す実施の形態３のクリーニングシートの『五崩し縞』の平面図の構成を、発明の概念として表現できる。
本実施の形態の『崩し縞』は、独立線条群Ｒの最下端を結ぶ仮想直線Ｍ−Ｍと、隣接する独立線条群Ｒの最上端を結ぶ仮想直線Ｎ−Ｎとの間に重複幅δが存在するものである。また、同時に、独立線条群Ｌの最下端を結ぶ仮想直線Ｍ−Ｍと、隣接する独立線条群Ｌの最上端を結ぶ仮想直線Ｎ−Ｎとの間に重複幅δが存在するものである。
【００６５】
したがって、例えば、床上のほこり、髪の毛、固形ゴミ等の異物は、清掃具１０の清掃部本体面１５を手前から奥に繰り返し往復させたときに、線条Ｌａ，Ｌｂ，Ｌｃ，Ｌｄ、線条Ｒａ，Ｒｂ，Ｒｃ，Ｒｄに対して４５度の衝突角度で衝突し、同様に４５度の反射によって隣接する＋４５度と−４５度の傾斜角度の線条Ｌａ，Ｌｂ，Ｌｃ，Ｌｄ、線条Ｒａ，Ｒｂ，Ｒｃ，Ｒｄに衝突する。よって、床上のほこり、髪の毛、固形ゴミ等の異物を残したまま掃除を終了することがない。
【００６６】
そして、＋４５度と−４５度の傾斜角度の線条Ｌａ，Ｌｂ，Ｌｃ，Ｌｄと線条Ｒａ，Ｒｂ，Ｒｃ，Ｒｄが、＋４５度と−４５度の傾斜角度で設けられているから、線条Ｌａ，Ｌｂ，Ｌｃ，Ｌｄと線条Ｒａ，Ｒｂ，Ｒｃ，Ｒｄが異物と衝突すると、反射角度が４５度となって移動するから、本実施の形態のクリーニングシート１が迷路のようになり、異物がクリーニングシート１から容易に外に出られない。
【００６７】
また、基準シート２は、線条Ｌａ，Ｌｂ，Ｌｃ，Ｌｄと線条Ｒａ，Ｒｂ，Ｒｃ，Ｒｄの中間に位置しているから、線条Ｌａ，Ｌｂ，Ｌｃ，Ｌｄと線条Ｒａ，Ｒｂ，Ｒｃ，Ｒｄの中間が上下方向の弾性を維持し、線条Ｌａ，Ｌｂ，Ｌｃ，Ｌｄと線条Ｒａ，Ｒｂ，Ｒｃ，Ｒｄの間に保持されるから、清掃によって除去された異物が大きい場合には保持された状態で、小さい場合には、線条Ｌａ，Ｌｂ，Ｌｃ，Ｌｄまたは線条Ｒａ，Ｒｂ，Ｒｃ，Ｒｄに潜り込んで保持される。
【００６８】
加えて、独立線条群Ｒ，Ｌ及び線条Ｌａ，Ｌｂ，Ｌｃ，Ｌｄと線条Ｒａ，Ｒｂ，Ｒｃ，Ｒｄにおける不織布シートまたは織布シートは、繊維の密度が密で、質量が大な構成としているから、当該不織布シートまたは当該織布シートの繊維密度が高く形成でき、毛細管現象により、液体の吸収及び保持能力が大きくなる。この独立線条群Ｒ，Ｌ及び線条Ｌａ，Ｌｂ，Ｌｃ，Ｌｄと線条Ｒａ，Ｒｂ，Ｒｃ，Ｒｄの繊維の密度が密で、質量が大とは、基準シート２に比較して密であるか、質量が大であるかが判定できればよい。
上記実施の形態では、θ＝−４５度及びθ＝＋４５度の線条の複数の独立線条群が、同一線条太さ及び同一線条長さ及び同一線条間隔、同一線条数で形成した。しかし、これらは１０〜３０％の誤差を有していても、実施できないものではない。本発明を実施するにあたっては、全体のバランスから見栄え等を考慮したものである。
【００６９】
上記実施の形態の機能シートは、床上のほこり、髪の毛、固形ゴミ、しみ汚れ、付着液体等の異物の除去、床の保護、つや出し等の床管理に用いられ、効率の良い異物の確保を行うクリーニングシートに使用できる機能シートの事例で説明したが、また、基準シートと独立線条群とが独自に移動することから、難水溶性の不織布にアルコールまたは次亜塩素酸ナトリウム等の水溶液を含ませ、おしぼりとしてのウエットティッシュ（濡れおしぼり）、ウエットティッシュを小型化して駅弁等に添付するお手拭き、病人或いは何らかの体に障害がある人の体拭きとしても使用できる。また、人体や器物を拭うことで汚れを取り除く、便器等の衛生用日用品及び便座を除菌、殺菌、拭き掃除に使用することもできる。更に、ペットの動物向け商品としても使用できる。人の使用する化粧面としても使用できる。
【符号の説明】
【００７０】
１    クリーニングシート
２，８０    基準シート
Ｌａ，Ｌｂ，Ｌｃ，Ｌｄ    線条
Ｒａ，Ｒｂ，Ｒｃ，Ｒｄ    線条
Ｒ    独立線条群
Ｌ    独立線条群
δ    重複位置
１０    清掃用具
１１    清掃部
１５    清掃部本体面                                                                                
【手続補正書】
【提出日】平成29年6月7日(2017.6.7)
【手続補正１】
【補正対象書類名】特許請求の範囲
【補正対象項目名】全文
【補正方法】変更
【補正の内容】
【特許請求の範囲】
【請求項１】
不織布シートまたは織布シートからなる長方形状の基準シートと、
前記基準シートの対向する長辺に対して直角な仮想基準線を描き、該描かれた前記仮想基準線に対して前記基準シート面に不織布繊維の集合によって−４５度と＋４５度の傾斜角度で、かつ、前記基準シートよりも密度が密で、質量の大なる直線を、交差しないように形成した線条と、
前記−４５度及び前記＋４５度の線条は、同一線条太さ及び同一線条長さ及び同一線条間隔、同一線条数で形成した「崩し縞」で表現すると、「三崩し縞」乃至「五崩し縞」のうちの何れか１つの「縞」からなる独立線条群を具備し、
前記−４５度または前記＋４５度の傾斜角度の前記独立線条群の前記線条の最上端を結ぶ仮想直線と、前記独立線条群の前記線条の前記最上端に隣接する同一傾斜角度の前記独立線条群の前記線条の最下端を結ぶ仮想直線との間に、前記傾斜角度の前記独立線条群との重複幅が存在することを特徴とする機能シート。